(57)【要約】  光記録媒体（１０）は、可視情報記録媒体部（１８）と情報記録媒体部（２０）とが接着層（２２）を介して貼り合わされた構成を有する。可視情報記録媒体部（１８）は、第１基板（１２）上に可視情報記録層（１４）、第１反射層（２４）、第１保護層（２６）が積層された構成を有する。情報記録媒体部（２０）は、表面にプリグルーブ（２８）が形成された第２基板（３０）上に情報記録層（３２）、第２反射層（３４）、第２保護層（３６）が積層された構成を有する。可視情報記録層（１４）は、黄色系の色素化合物、マゼンタ系の色素化合物、シアン系の色素化合物のうち、少なくとも１種の色素化合物を含有する。
2007139139.tif 000002
【特許請求の範囲】
【請求項１】
基板（１２）上に可視情報記録層(14)を有する光記録媒体（１０）であって、
前記可視情報記録層（１４）は、レーザ光（１６）が前記基板（１２）の半径方向に遥動し、且つ、略同一の軌跡に複数回照射されて可視情報が記録される可視情報記録層（１４）であり、下記一般式（１）で表される色素化合物、下記一般式（２）で表される色素化合物、下記一般式（３）で表される色素化合物のうち、少なくとも１種の色素化合物を含有することを特徴とする光記録媒体。
一般式（１）
【化１】
2007139139.tif 000058
［式中、Ｄ1は、水素原子又は１価の置換基を表し、Ｄ2は、水素原子又は１価の置換基を表し、Ｄ3は、芳香族基を表し、Ｄ4及びＤ5は各々独立に、水素原子、又は１価の置換基を表す。上記の１価の置換基はさらに置換基を有していてもよい。］
一般式（２）
【化２】
2007139139.tif 000059
［式中、Ｄ6〜Ｄ12は各々独立に、水素原子又は１価の置換基を表す。Ｄ11とＤ12は互いに結合して環を形成していてもよく、Ｄ8とＤ11又は／及びＤ9とＤ12が結合して環を形成していてもよい。Ｘ及びＹは＝Ｃ（Ｄ13）−又は窒素原子を表す（このうち、Ｄ13は、水素原子、アルキル基、アリール基、アルコキシ基、アリールオキシ基、アミノ基を表す。）。また、ＸとＹが共にＣ（Ｄ13）−のとき、２つのＤ13は、互いに結合して飽和ないし不飽和炭素環を形成してもよい。上記の１価の置換基は、さらに置換基を有していてもよい。］
一般式（３）
【化３】
2007139139.tif 000060
［式中、Ｄ14〜Ｄ21は各々独立に、水素原子又は１価の置換基を表し、Ｄ22及びＤ23は各々独立に、水素原子又は１価の置換基を表す。Ｄ22とＤ23は互いに結合して環を形成していてもよく、Ｄ19とＤ22又は／及びＤ20とＤ23が結合して環を形成していてもよい。］
【請求項２】
請求項１記載の光記録媒体において、
前記一般式（１）のＤ1は、水素原子、アルキル基、アルコキシ基、アリール基、アルコキシカルボニル基、シアノ基、又はカルバモイル基であり、Ｄ2は、水素原子、アルキル基、アリール基、又はヘテロアリール基であり、Ｄ3は、アリール基又はヘテロアリール基であり、Ｄ4及びＤ5は各々独立に、水素原子、又はアルキル基であり、
前記一般式（２）のＤ6〜Ｄ10は各々独立に、水素原子、ハロゲン原子、アルキル基、アルコキシ基、アリール基、アリールオキシ基、シアノ基、アシルアミノ基、スルホニルアミノ基、ウレイド基、アルコキシカルボニルアミノ基、アルキルチオ基、アリールチオ基、アルコキシカルボニル基、カルバモイル基、スルファモイル基、スルホニル基、アシル基、又はアミノ基であり、Ｄ11及びＤ12は各々独立に、水素原子、アルキル基、又はアリール基であり、
前記一般式（３）のＤ14〜Ｄ21は各々独立に、水素原子、ハロゲン原子、アルキル基、アルコキシ基、アリール基、アリールオキシ基、シアノ基、アシルアミノ基、スルホニルアミノ基、ウレイド基、アルコキシカルボニルアミノ基、アルキルチオ基、アリールチオ基、アルコキシカルボニル基、カルバモイル基、スルファモイル基、スルホニル基、アシル基、又はアミノ基であり、Ｄ22及びＤ23は各々独立に、水素原子、アルキル基、又はアリール基であることを特徴とする光記録媒体。
【請求項３】
請求項１記載の光記録媒体において、
さらに、下記一般式（４）で表されるフタロシアニン色素を含有することを特徴とする光記録媒体。
【化４】
2007139139.tif 000061
［式中、Ｒα1〜Ｒα8及びＲβ1〜Ｒβ8は各々独立に、水素原子又は１価の置換基を表し、Ｍは、２個の水素原子、金属、金属酸化物、又は、配位子を有する金属を表す。］
【請求項４】
請求項３記載の光記録媒体において、
前記一般式（４）のＲα1〜Ｒα8及びＲβ1〜Ｒβ8は各々独立に、水素原子、ハロゲン原子、シアノ基、ニトロ基、ホルミル基、カルボキシル基、スルホ基、炭素原子数１〜２０のアルキル基、炭素原子数６〜１４のアリール基、炭素原子数７〜１５のアラルキル基、炭素原子数１〜１０のヘテロ環基、炭素原子数１〜２０のアルコキシ基、炭素原子数６〜１４のアリールオキシ基、炭素原子数２〜２１のアシル基、炭素原子数１〜２０アルキルスルホニル基、炭素原子数６〜２０アリールスルホニル基、炭素原子数１〜２５のカルバモイル基、炭素原子数０〜３２のスルファモイル基、炭素原子数２〜２１のアルコキシカルボニル基、炭素原子数７〜１５のアリールオキシカルボニル基、炭素原子数２〜２１のアシルアミノ基、炭素原子数１〜２０のスルホニルアミノ基、又は炭素原子数０〜３６のアミノ基であることを特徴とする光記録媒体。
【請求項５】
基板（１２）上に可視情報記録層（１４）を有する光記録媒体（１０）であって、前記可視情報記録層（１４）が下記一般式（１）で表される色素化合物、下記一般式（２）で表される色素化合物、下記一般式（３）で表される色素化合物のうち、少なくとも１種の色素化合物を含有することを特徴とする光記録媒体。
一般式（１）
【化５】
2007139139.tif 000062
［式中、Ｄ1は、水素原子又は１価の置換基を表し、Ｄ2は、水素原子又は１価の置換基を表し、Ｄ3は、芳香族基を表し、Ｄ4及びＤ5は各々独立に、水素原子、又は１価の置換基を表す。上記の１価の置換基はさらに置換基を有していてもよい。］
一般式（２）
【化６】
2007139139.tif 000063
［式中、Ｄ6〜Ｄ12は各々独立に、水素原子又は１価の置換基を表す。Ｄ11とＤ12は互いに結合して環を形成していてもよく、Ｄ8とＤ11又は／及びＤ9とＤ12が結合して環を形成していてもよい。Ｘ及びＹは＝Ｃ（Ｄ13）−又は窒素原子を表す（このうち、Ｄ13は、水素原子、アルキル基、アリール基、アルコキシ基、アリールオキシ基、アミノ基を表す。）。また、ＸとＹが共にＣ（Ｄ13）−のとき、２つのＤ13は、互いに結合して飽和ないし不飽和炭素環を形成してもよい。上記の１価の置換基は、さらに置換基を有していてもよい。］
一般式（３）
【化７】
2007139139.tif 000064
［式中、Ｄ14〜Ｄ21は各々独立に、水素原子又は１価の置換基を表し、Ｄ22及びＤ23は各々独立に、水素原子又は１価の置換基を表す。Ｄ22とＤ23は互いに結合して環を形成していてもよく、Ｄ19とＤ22又は／及びＤ20とＤ23が結合して環を形成していてもよい。］
【請求項６】
請求項５記載の光記録媒体において、
前記一般式（１）のＤ1は、水素原子、アルキル基、アルコキシ基、アリール基、アルコキシカルボニル基、シアノ基、又はカルバモイル基であり、Ｄ2は、水素原子、アルキル基、アリール基、又はヘテロアリール基であり、Ｄ3は、アリール基又はヘテロアリール基であり、Ｄ4及びＤ5は各々独立に、水素原子、又はアルキル基であり、
前記一般式（２）のＤ6〜Ｄ10は各々独立に、水素原子、ハロゲン原子、アルキル基、アルコキシ基、アリール基、アリールオキシ基、シアノ基、アシルアミノ基、スルホニルアミノ基、ウレイド基、アルコキシカルボニルアミノ基、アルキルチオ基、アリールチオ基、アルコキシカルボニル基、カルバモイル基、スルファモイル基、スルホニル基、アシル基、又はアミノ基であり、Ｄ11及びＤ12は各々独立に、水素原子、アルキル基、又はアリール基
であり、
前記一般式（３）のＤ14〜Ｄ21は各々独立に、水素原子、ハロゲン原子、アルキル基、アルコキシ基、アリール基、アリールオキシ基、シアノ基、アシルアミノ基、スルホニルアミノ基、ウレイド基、アルコキシカルボニルアミノ基、アルキルチオ基、アリールチオ基、アルコキシカルボニル基、カルバモイル基、スルファモイル基、スルホニル基、アシル基、又はアミノ基であり、Ｄ22及びＤ23は各々独立に、水素原子、アルキル基、又はアリール基であることを特徴とする光記録媒体。
【請求項７】
請求項５記載の光記録媒体において、
さらに、下記一般式（４）で表されるフタロシアニン色素を含有することを特徴とする光記録媒体。
【化８】
2007139139.tif 000065
［式中、Ｒα1〜Ｒα8及びＲβ1〜Ｒβ8は各々独立に、水素原子又は１価の置換基を表し、Ｍは、２個の水素原子、金属、金属酸化物、又は、配位子を有する金属を表す。］
【請求項８】
請求項７記載の光記録媒体において、
前記一般式（４）のＲα1〜Ｒα8及びＲβ1〜Ｒβ8は各々独立に、水素原子、ハロゲン原子、シアノ基、ニトロ基、ホルミル基、カルボキシル基、スルホ基、炭素原子数１〜２０のアルキル基、炭素原子数６〜１４のアリール基、炭素原子数７〜１５のアラルキル基、炭素原子数１〜１０のヘテロ環基、炭素原子数１〜２０のアルコキシ基、炭素原子数６〜１４のアリールオキシ基、炭素原子数２〜２１のアシル基、炭素原子数１〜２０アルキルスルホニル基、炭素原子数６〜２０アリールスルホニル基、炭素原子数１〜２５のカルバモイル基、炭素原子数０〜３２のスルファモイル基、炭素原子数２〜２１のアルコキシカルボニル基、炭素原子数７〜１５のアリールオキシカルボニル基、炭素原子数２〜２１のアシルアミノ基、炭素原子数１〜２０のスルホニルアミノ基、又は炭素原子数０〜３６のアミノ基であることを特徴とする光記録媒体。
【請求項９】
基板（１２）上に可視情報記録層（１４）を有する光記録媒体（１０）であって、
前記可視情報記録層（１４）は、レーザ光（１６）が略同一の軌跡に複数回照射されて可視情報が記録される可視情報記録層（１４）であり、下記一般式（１）で表される色素化合物、下記一般式（２）で表される色素化合物、下記一般式（３）で表される色素化合物のうち、少なくとも１種の色素化合物を含有することを特徴とする光記録媒体。
一般式（１）
【化９】
2007139139.tif 000066
［式中、Ｄ1は、水素原子又は１価の置換基を表し、Ｄ2は、水素原子又は１価の置換基を表し、Ｄ3は、芳香族基を表し、Ｄ4及びＤ5は各々独立に、水素原子、又は１価の置換基を表す。上記の１価の置換基はさらに置換基を有していてもよい。］
一般式（２）
【化１０】
2007139139.tif 000067
［式中、Ｄ6〜Ｄ12は各々独立に、水素原子又は１価の置換基を表す。Ｄ11とＤ12は互いに結合して環を形成していてもよく、Ｄ8とＤ11又は／及びＤ9とＤ12が結合して環を形成していてもよい。Ｘ及びＹは＝Ｃ（Ｄ13）−又は窒素原子を表す（このうち、Ｄ13は、水素原子、アルキル基、アリール基、アルコキシ基、アリールオキシ基、アミノ基を表す。）。また、ＸとＹが共にＣ（Ｄ13）−のとき、２つのＤ13は、互いに結合して飽和ないし不飽和炭素環を形成してもよい。上記の１価の置換基は、さらに置換基を有していてもよい。］
一般式（３）
【化１１】
2007139139.tif 000068
［式中、Ｄ14〜Ｄ21は各々独立に、水素原子又は１価の置換基を表し、Ｄ22及びＤ23は各々独立に、水素原子又は１価の置換基を表す。Ｄ22とＤ23は互いに結合して環を形成していてもよく、Ｄ19とＤ22又は／及びＤ20とＤ23が結合して環を形成していてもよい。］
【請求項１０】
請求項９記載の光記録媒体において、
前記一般式（１）のＤ1は、水素原子、アルキル基、アルコキシ基、アリール基、アルコキシカルボニル基、シアノ基、又はカルバモイル基であり、Ｄ2は、水素原子、アルキル基、アリール基、又はヘテロアリール基であり、Ｄ3は、アリール基又はヘテロアリール基であり、Ｄ4及びＤ5は各々独立に、水素原子、又はアルキル基であり、
前記一般式（２）のＤ6〜Ｄ10は各々独立に、水素原子、ハロゲン原子、アルキル基、アルコキシ基、アリール基、アリールオキシ基、シアノ基、アシルアミノ基、スルホニルアミノ基、ウレイド基、アルコキシカルボニルアミノ基、アルキルチオ基、アリールチオ基、アルコキシカルボニル基、カルバモイル基、スルファモイル基、スルホニル基、アシル基、又はアミノ基であり、Ｄ11及びＤ12は各々独立に、水素原子、アルキル基、又はアリール基であり、
前記一般式（３）のＤ14〜Ｄ21は各々独立に、水素原子、ハロゲン原子、アルキル基、アルコキシ基、アリール基、アリールオキシ基、シアノ基、アシルアミノ基、スルホニルアミノ基、ウレイド基、アルコキシカルボニルアミノ基、アルキルチオ基、アリールチオ基、アルコキシカルボニル基、カルバモイル基、スルファモイル基、スルホニル基、アシル基、又はアミノ基であり、Ｄ22及びＤ23は各々独立に、水素原子、アルキル基、又はアリール基であることを特徴とする光記録媒体。
【請求項１１】
請求項９記載の光記録媒体において、
さらに、下記一般式（４）で表されるフタロシアニン色素を含有することを特徴とする光記録媒体。
【化１２】
2007139139.tif 000069
［式中、Ｒα1〜Ｒα8及びＲβ1〜Ｒβ8は各々独立に、水素原子又は１価の置換基を表し、Ｍは、２個の水素原子、金属、金属酸化物、又は、配位子を有する金属を表す。］
【請求項１２】
請求項１１記載の光記録媒体において、
前記一般式（４）のＲα1〜Ｒα8及びＲβ1〜Ｒβ8は各々独立に、水素原子、ハロゲン原子、シアノ基、ニトロ基、ホルミル基、カルボキシル基、スルホ基、炭素原子数１〜２０のアルキル基、炭素原子数６〜１４のアリール基、炭素原子数７〜１５のアラルキル基、炭素原子数１〜１０のヘテロ環基、炭素原子数１〜２０のアルコキシ基、炭素原子数６〜１４のアリールオキシ基、炭素原子数２〜２１のアシル基、炭素原子数１〜２０アルキルスルホニル基、炭素原子数６〜２０アリールスルホニル基、炭素原子数１〜２５のカルバモイル基、炭素原子数０〜３２のスルファモイル基、炭素原子数２〜２１のアルコキシカルボニル基、炭素原子数７〜１５のアリールオキシカルボニル基、炭素原子数２〜２１のアシルアミノ基、炭素原子数１〜２０のスルホニルアミノ基、又は炭素原子数０〜３６のアミノ基であることを特徴とする光記録媒体。
【請求項１３】
基板（１２）上に可視情報記録層（１４）を有する光記録媒体（１０）における前記可視情報記録層（１４）の材料として色素化合物を利用する色素化合物の利用方法であって、
前記可視情報記録層（１４）は、レーザ光（１６）が前記基板（１２）の半径方向に遥動し、且つ、略同一の軌跡に複数回照射されて可視情報が記録される可視情報記録層（１４）であり、
下記一般式（１）で表される色素化合物、下記一般式（２）で表される色素化合物、下記一般式（３）で表される色素化合物のうち、少なくとも１種の色素化合物を含有したものを前記可視情報記録層の材料として利用することを特徴とする色素化合物の利用方法。
一般式（１）
【化１３】
2007139139.tif 000070
［式中、Ｄ1は、水素原子又は１価の置換基を表し、Ｄ2は、水素原子又は１価の置換基を表し、Ｄ3は、芳香族基を表し、Ｄ4及びＤ5は各々独立に、水素原子、又は１価の置換基を表す。上記の１価の置換基はさらに置換基を有していてもよい。］
一般式（２）
【化１４】
2007139139.tif 000071
［式中、Ｄ6〜Ｄ12は各々独立に、水素原子又は１価の置換基を表す。Ｄ11とＤ12は互いに結合して環を形成していてもよく、Ｄ8とＤ11又は／及びＤ9とＤ12が結合して環を形成していてもよい。Ｘ及びＹは＝Ｃ（Ｄ13）−又は窒素原子を表す（このうち、Ｄ13は、水素原子、アルキル基、アリール基、アルコキシ基、アリールオキシ基、アミノ基を表す。）。また、ＸとＹが共にＣ（Ｄ13）−のとき、２つのＤ13は、互いに結合して飽和ないし不飽和炭素環を形成してもよい。上記の１価の置換基は、さらに置換基を有していてもよい。］
一般式（３）
【化１５】
2007139139.tif 000072
［式中、Ｄ14〜Ｄ21は各々独立に、水素原子又は１価の置換基を表し、Ｄ22及びＤ23は各々独立に、水素原子又は１価の置換基を表す。Ｄ22とＤ23は互いに結合して環を形成していてもよく、Ｄ19とＤ22又は／及びＤ20とＤ23が結合して環を形成していてもよい。］
【請求項１４】
請求項１３記載の色素化合物の利用方法において、
前記一般式（１）のＤ1は、水素原子、アルキル基、アルコキシ基、アリール基、アルコキシカルボニル基、シアノ基、又はカルバモイル基であり、Ｄ2は、水素原子、アルキル基、アリール基、又はヘテロアリール基であり、Ｄ3は、アリール基又はヘテロアリール基であり、Ｄ4及びＤ5は各々独立に、水素原子、又はアルキル基であり、
前記一般式（２）のＤ6〜Ｄ10は各々独立に、水素原子、ハロゲン原子、アルキル基、アルコキシ基、アリール基、アリールオキシ基、シアノ基、アシルアミノ基、スルホニルアミノ基、ウレイド基、アルコキシカルボニルアミノ基、アルキルチオ基、アリールチオ基、アルコキシカルボニル基、カルバモイル基、スルファモイル基、スルホニル基、アシル基、又はアミノ基であり、Ｄ11及びＤ12は各々独立に、水素原子、アルキル基、又はアリール基であり、
前記一般式（３）のＤ14〜Ｄ21は各々独立に、水素原子、ハロゲン原子、アルキル基、アルコキシ基、アリール基、アリールオキシ基、シアノ基、アシルアミノ基、スルホニルアミノ基、ウレイド基、アルコキシカルボニルアミノ基、アルキルチオ基、アリールチオ基、アルコキシカルボニル基、カルバモイル基、スルファモイル基、スルホニル基、アシル基、又はアミノ基であり、Ｄ22及びＤ23は各々独立に、水素原子、アルキル基、又はアリール基であることを特徴とする色素化合物の利用方法。
【請求項１５】
請求項１３記載の色素化合物の利用方法において、
さらに、下記一般式（４）で表されるフタロシアニン色素を含有することを特徴とする色素化合物の利用方法。
【化１６】
2007139139.tif 000073
［式中、Ｒα1〜Ｒα8及びＲβ1〜Ｒβ8は各々独立に、水素原子又は１価の置換基を表し、Ｍは、２個の水素原子、金属、金属酸化物、又は、配位子を有する金属を表す。］
【請求項１６】
請求項１５記載の色素化合物の利用方法において、
前記一般式（４）のＲα1〜Ｒα8及びＲβ1〜Ｒβ8は各々独立に、水素原子、ハロゲン原子、シアノ基、ニトロ基、ホルミル基、カルボキシル基、スルホ基、炭素原子数１〜２０のアルキル基、炭素原子数６〜１４のアリール基、炭素原子数７〜１５のアラルキル基、炭素原子数１〜１０のヘテロ環基、炭素原子数１〜２０のアルコキシ基、炭素原子数６〜１４のアリールオキシ基、炭素原子数２〜２１のアシル基、炭素原子数１〜２０アルキルスルホニル基、炭素原子数６〜２０アリールスルホニル基、炭素原子数１〜２５のカルバモイル基、炭素原子数０〜３２のスルファモイル基、炭素原子数２〜２１のアルコキシカルボニル基、炭素原子数７〜１５のアリールオキシカルボニル基、炭素原子数２〜２１のアシルアミノ基、炭素原子数１〜２０のスルホニルアミノ基、又は炭素原子数０〜３６のアミノ基であることを特徴とする色素化合物の利用方法。
【請求項１７】
基板（１２）上に、下記一般式（１）で表される色素化合物、下記一般式（２）で表される色素化合物、下記一般式（３）で表される色素化合物のうち、少なくとも１種の色素化合物を含有する可視情報記録層（１４）を有する光記録媒体（１０）に対し、
前記可視情報記録層（１４）にレーザ光（１６）を前記基板（１２）の半径方向に遥動し、且つ、略同一の軌跡に複数回照射して可視情報を記録することを特徴とする可視情報記録方法。
一般式（１）
【化１７】
2007139139.tif 000074
［式中、Ｄ1は、水素原子又は１価の置換基を表し、Ｄ2は、水素原子又は１価の置換基を表し、Ｄ3は、芳香族基を表し、Ｄ4及びＤ5は各々独立に、水素原子、又は１価の置換基を表す。上記の１価の置換基はさらに置換基を有していてもよい。］
一般式（２）
【化１８】
2007139139.tif 000075
［式中、Ｄ6〜Ｄ12は各々独立に、水素原子又は１価の置換基を表す。Ｄ11とＤ12は互いに結合して環を形成していてもよく、Ｄ8とＤ11又は／及びＤ9とＤ12が結合して環を形成していてもよい。Ｘ及びＹは＝Ｃ（Ｄ13）−又は窒素原子を表す（このうち、Ｄ13は、水素原子、アルキル基、アリール基、アルコキシ基、アリールオキシ基、アミノ基を表す。）。また、ＸとＹが共にＣ（Ｄ13）−のとき、２つのＤ13は、互いに結合して飽和ないし不飽和炭素環を形成してもよい。上記の１価の置換基は、さらに置換基を有していてもよい。］
一般式（３）
【化１９】
2007139139.tif 000076
［式中、Ｄ14〜Ｄ21は各々独立に、水素原子又は１価の置換基を表し、Ｄ22及びＤ23は各々独立に、水素原子又は１価の置換基を表す。Ｄ22とＤ23は互いに結合して環を形成していてもよく、Ｄ19とＤ22又は／及びＤ20とＤ23が結合して環を形成していてもよい。］
【請求項１８】
請求項１７記載の可視情報記録方法において、
前記一般式（１）のＤ1は、水素原子、アルキル基、アルコキシ基、アリール基、アルコキシカルボニル基、シアノ基、又はカルバモイル基であり、Ｄ2は、水素原子、アルキル基、アリール基、又はヘテロアリール基であり、Ｄ3は、アリール基又はヘテロアリール基であり、Ｄ4及びＤ5は各々独立に、水素原子、又はアルキル基であり、
前記一般式（２）のＤ6〜Ｄ10は各々独立に、水素原子、ハロゲン原子、アルキル基、アルコキシ基、アリール基、アリールオキシ基、シアノ基、アシルアミノ基、スルホニルアミノ基、ウレイド基、アルコキシカルボニルアミノ基、アルキルチオ基、アリールチオ基、アルコキシカルボニル基、カルバモイル基、スルファモイル基、スルホニル基、アシル基、又はアミノ基であり、Ｄ11及びＤ12は各々独立に、水素原子、アルキル基、又はアリール基であり、
前記一般式（３）のＤ14〜Ｄ21は各々独立に、水素原子、ハロゲン原子、アルキル基、アルコキシ基、アリール基、アリールオキシ基、シアノ基、アシルアミノ基、スルホニルアミノ基、ウレイド基、アルコキシカルボニルアミノ基、アルキルチオ基、アリールチオ基、アルコキシカルボニル基、カルバモイル基、スルファモイル基、スルホニル基、アシル基、又はアミノ基であり、Ｄ22及びＤ23は各々独立に、水素原子、アルキル基、又はアリール基であることを特徴とする可視情報記録方法。
【請求項１９】
請求項１７記載の可視情報記録方法において、
さらに、下記一般式（４）で表されるフタロシアニン色素を含有することを特徴とする可視情報記録方法。
【化２０】
2007139139.tif 000077
［式中、Ｒα1〜Ｒα8及びＲβ1〜Ｒβ8は各々独立に、水素原子又は１価の置換基を表し、Ｍは、２個の水素原子、金属、金属酸化物、又は、配位子を有する金属を表す。］
【請求項２０】
請求項１９記載の可視情報記録方法において、
前記一般式（４）のＲα1〜Ｒα8及びＲβ1〜Ｒβ8は各々独立に、水素原子、ハロゲン原子、シアノ基、ニトロ基、ホルミル基、カルボキシル基、スルホ基、炭素原子数１〜２０のアルキル基、炭素原子数６〜１４のアリール基、炭素原子数７〜１５のアラルキル基、炭素原子数１〜１０のヘテロ環基、炭素原子数１〜２０のアルコキシ基、炭素原子数６〜１４のアリールオキシ基、炭素原子数２〜２１のアシル基、炭素原子数１〜２０アルキルスルホニル基、炭素原子数６〜２０アリールスルホニル基、炭素原子数１〜２５のカルバモイル基、炭素原子数０〜３２のスルファモイル基、炭素原子数２〜２１のアルコキシカルボニル基、炭素原子数７〜１５のアリールオキシカルボニル基、炭素原子数２〜２１のアシルアミノ基、炭素原子数１〜２０のスルホニルアミノ基、又は炭素原子数０〜３６のアミノ基であることを特徴とする可視情報記録方法。
【発明の詳細な説明】
【技術分野】
【０００１】
本発明は、本発明は、光記録媒体に関し、詳しくは、レーザ光により可視情報を記録することができる可視情報記録層を有する光記録媒体、前記可視情報記録層の材料に対する色素化合物の利用方法及び前記光記録媒体に対する可視情報記録方法に関する。
【背景技術】
【０００２】
ＣＤ−ＲやＤＶＤ−Ｒなどの光記録媒体には、基板の電子情報を記録する情報記録層が設けられている記録面と反対側の面に、情報記録層に記録された電子情報の内容、例えば、音楽データの楽曲タイトルや、記録されたデータを識別するためのタイトル等の可視情報が印刷されたラベルを貼付したものが知られている。このような光記録媒体は、プリンタ等によって円形のラベルシート上にタイトル等を予め印刷し、印刷後のラベルシートを光記録媒体の記録面とは反対側の面に貼付することにより作製される。【０００３】
ところが、上記のようにタイトル等の所望の可視画像等の可視情報が記録された光記録媒体を作製する場合には、ディスクドライブとは別にインクジェットプリンタ等の印刷用プリンタが必要となる。そのため、ディスクドライブを用いて光記録媒体の記録面に電子情報の記録を行なった後、この光記録媒体をディスクドライブから取り出して、上記のように別途用意した印刷用プリンタによって印刷されたラベルシートを貼付する等といった煩雑な作業を行なう必要がある。【０００４】
そこで、情報記録を行なう記録面と反対側の面にレーザーマーカを使用して表面と背景とでコントラストを変化させて表示させることができる光記録媒体が提案されている（例えば、特許文献１参照）。この構成では、プリンタ等を別途用意することなく、光ディスクドライブによって光記録媒体のレーベル面に所望の可視情報記録を行うことができる。【０００５】
また、レーベル面に所望の可視情報記録を行うことができる光記録媒体は、反射層を介して電子情報の記録が可能な情報記録面と、可視情報の記録、表示が可能な可視情報記録層とが形成されており、可視情報記録層は色素を用いてコントラストの高い可視情報の記録が行なえるように構成される。【０００６】
例えば、光ディスクのレーベル面側から見える箇所に、該レーベル面側からのレーザ光の照射によって該レーベル面側からの可視光特性｛色（色相、明度、彩度）、スペクトラム、反射率、透過率、光散乱等｝が変化する可視光特性変化層を形成するようにしている（例えば特許文献２参照）。【０００７】
この特許文献２では、光ディスク装置のターンテーブルに、前記光ディスクを、そのレーベル面をレーザ光入射側に向けてセットし、前記光ディスクと前記光ピックアップから出射されるレーザ光とを該光ディスクの面に沿って相対移動させ、該相対移動に同期して前記光ピックアップから出射されるレーザ光を、画像形成しようとする文字、絵等の画像データに応じて変調して前記レーベル面側から前記可視光特性変化層に照射し、該照射により該可視光特性変化層の可視光特性を変化させて、該レーベル面に該当する可視情報を形成するようにしている。【０００８】
このレーベル面への可視情報形成方法によれば、光ディスク装置のレーザ光を光ディスクのレーベル面側から見える箇所に形成された可視光特性変化層に照射して、該層の可視光特性を変化させて、該レーベル面に該当する文字、絵等の可視情報を形成するようにしたので、ペンによる書き込みやプリンタによる印刷を不要にすることができる。【０００９】
【特許文献１】特開平１１−６６６１７号公報
【特許文献２】特開２００２−２０３３２１号公報
【発明の開示】
【００１０】
ところで、光記録媒体、特に可視画像等の可視情報の記録が可能な光記録媒体においては、通常のデジタルデータ記録とは求められる特性が異なる。
【００１１】
本発明は、従来のドライブシステムとは全く異なるシステム、すなわち、可視情報記録層に可視情報を記録することができるシステムに適用した場合においても、コントラストが高く鮮明な可視情報の記録が可能な光記録媒体、色素化合物の利用方法及び可視情報記録方法を提供することを目的とする。
【００１２】
第１の本発明に係る光記録媒体は、基板上に可視情報記録層を有する光記録媒体であって、前記可視情報記録層は、レーザ光が前記基板の半径方向に遥動し、且つ、略同一の軌跡に複数回照射されて可視情報が記録される可視情報記録層であり、下記一般式（１）で表される色素化合物、下記一般式（２）で表される色素化合物、下記一般式（３）で表される色素化合物のうち、少なくとも１種の色素化合物を含有することを特徴とする。
【００１３】
一般式（１）
【化１】
2007139139.tif 000003
【００１４】
一般式（１）中、Ｄ1は、水素原子又は１価の置換基を表し、Ｄ2は、水素原子又は１価の置換基を表し、Ｄ3は、芳香族基を表し、Ｄ4及びＤ5は各々独立に、水素原子、又は１価の置換基を表す。上記の１価の置換基はさらに置換基を有していてもよい。
【００１５】
ここで、前記一般式（１）のＤ1は、水素原子、アルキル基、アルコキシ基、アリール基、アルコキシカルボニル基、シアノ基、又はカルバモイル基であり、Ｄ2は、水素原子、アルキル基、アリール基、又はヘテロアリール基であり、Ｄ3は、アリール基又はヘテロアリール基であり、Ｄ4及びＤ5は各々独立に、水素原子、又はアルキル基であってもよい。
【００１６】
一般式（２）
【化２】
2007139139.tif 000004
【００１７】
一般式（２）中、Ｄ6〜Ｄ12は各々独立に、水素原子又は１価の置換基を表す。Ｄ11とＤ12は互いに結合して環を形成していてもよく、Ｄ8とＤ11又は／及びＤ9とＤ12が結合して環を形成していてもよい。Ｘ及びＹは＝Ｃ（Ｄ13）−又は窒素原子を表す（このうち、Ｄ13は、水素原子、アルキル基、アリール基、アルコキシ基、アリールオキシ基、アミノ基を表す。）。また、ＸとＹが共にＣ（Ｄ13）−のとき、２つのＤ13は、互いに結合して飽和ないし不飽和炭素環を形成してもよい。上記の１価の置換基は、さらに置換基を有していてもよい。
【００１８】
ここで、前記一般式（２）のＤ6〜Ｄ10は各々独立に、水素原子、ハロゲン原子、アルキル基、アルコキシ基、アリール基、アリールオキシ基、シアノ基、アシルアミノ基、スルホニルアミノ基、ウレイド基、アルコキシカルボニルアミノ基、アルキルチオ基、アリールチオ基、アルコキシカルボニル基、カルバモイル基、スルファモイル基、スルホニル基、アシル基、又はアミノ基であることが好ましく、Ｄ11及びＤ12は各々独立に、水素原子、アルキル基、又はアリール基であることが好ましい。
【００１９】
一般式（３）
【化３】
2007139139.tif 000005
【００２０】
一般式（３）中、Ｄ14〜Ｄ21は各々独立に、水素原子又は１価の置換基を表し、Ｄ22及びＤ23は各々独立に、水素原子又は１価の置換基を表す。Ｄ22とＤ23は互いに結合して環を形成していてもよく、Ｄ19とＤ22又は／及びＤ20とＤ23が結合して環を形成していてもよい。
【００２１】
ここで、前記一般式（３）のＤ14〜Ｄ21は各々独立に、水素原子、ハロゲン原子、アルキル基、アルコキシ基、アリール基、アリールオキシ基、シアノ基、アシルアミノ基、スルホニルアミノ基、ウレイド基、アルコキシカルボニルアミノ基、アルキルチオ基、アリールチオ基、アルコキシカルボニル基、カルバモイル基、スルファモイル基、スルホニル基、アシル基、又はアミノ基であることが好ましく、Ｄ22及びＤ23は各々独立に、水素原子、アルキル基、又はアリール基であることが好ましい。
【００２２】
すなわち、第１の本発明に係る光記録媒体は、以下に示す光記録媒体を提供することができる。
【００２３】
［第１光記録媒体］
基板上に可視情報記録層を有する光記録媒体であって、前記可視情報記録層は、レーザ光が前記基板の半径方向に遥動し、且つ、略同一の軌跡に複数回照射されて可視情報が記録される可視情報記録層であり、前記可視情報記録層が前記一般式（１）で表される色素化合物を含有することを特徴とする光記録媒体。
【００２４】
［第２光記録媒体］
基板上に可視情報記録層を有する光記録媒体であって、前記可視情報記録層は、レーザ光が前記基板の半径方向に遥動し、且つ、略同一の軌跡に複数回照射されて可視情報が記録される可視情報記録層であり、前記可視情報記録層が前記一般式（２）で表される色素化合物を含有することを特徴とする光記録媒体。
【００２５】
［第３光記録媒体］
基板上に可視情報記録層を有する光記録媒体であって、前記可視情報記録層は、レーザ光が前記基板の半径方向に遥動し、且つ、略同一の軌跡に複数回照射されて可視情報が記録される可視情報記録層であり、前記可視情報記録層が前記一般式（３）で表される色素化合物を含有することを特徴とする光記録媒体。
【００２６】
［第４光記録媒体］
基板上に可視情報記録層を有する光記録媒体であって、前記可視情報記録層は、レーザ光が前記基板の半径方向に遥動し、且つ、略同一の軌跡に複数回照射されて可視情報が記録される可視情報記録層であり、前記可視情報記録層が前記一般式（１）で表される色素化合物及び前記一般式（２）で表される色素化合物を含有することを特徴とする光記録媒体。
【００２７】
［第５光記録媒体］
基板上に可視情報記録層を有する光記録媒体であって、前記可視情報記録層は、レーザ光が前記基板の半径方向に遥動し、且つ、略同一の軌跡に複数回照射されて可視情報が記録される可視情報記録層であり、前記可視情報記録層が前記一般式（１）で表される色素化合物及び前記一般式（３）で表される色素化合物を含有することを特徴とする光記録媒体。
【００２８】
［第６光記録媒体］
基板上に可視情報記録層を有する光記録媒体であって、前記可視情報記録層は、レーザ光が前記基板の半径方向に遥動し、且つ、略同一の軌跡に複数回照射されて可視情報が記録される可視情報記録層であり、前記可視情報記録層が前記一般式（２）で表される色素化合物及び前記一般式（３）で表される色素化合物を含有することを特徴とする光記録媒体。
【００２９】
［第７光記録媒体］
基板上に可視情報記録層を有する光記録媒体であって、前記可視情報記録層は、レーザ光が前記基板の半径方向に遥動し、且つ、略同一の軌跡に複数回照射されて可視情報が記録される可視情報記録層であり、前記可視情報記録層が前記一般式（１）で表される色素化合物、前記一般式（２）で表される色素化合物及び前記一般式（３）で表される色素化合物を含有することを特徴とする光記録媒体。
【００３０】
第１の本発明に係る光情報記録媒体においては、可視情報記録層に可視画像等の可視情報を記録することができるシステム（例えば特開２００２−２０３３２１号公報に示すシステム）に適用した場合においても、コントラストが高く鮮明な可視情報の記録が可能で、記録された可視情報の堅牢性に優れるものとなる。
【００３１】
すなわち、本発明に係る可視情報の記録が可能な光記録媒体においては、以下の点で通常のデジタルデータ記録とは求められる特性が異なる。デジタルデータ記録は、レーザ光の１回の照射でピットが形成されるようにしている。従って、通常のデジタルデータ記録の光記録媒体と、可視情報の記録が可能な光記録媒体とでは要求される特性が異なる。
【００３２】
通常、デジタルデータを記録する目的には、情報記録層にピットを形成する際は、光ディスクドライブで認識できるのに十分な反射率及び変調度が得られるピットを形成することが重要である。また、光記録媒体の情報記録層に隣接する基板には、予め案内溝が設置されており、案内溝内に規則正しくピットが記録される必要がある。従って、情報記録層の色素には、レーザービーム照射時、案内溝内に、再現性良く均質で形の整ったピットが形成されるような熱分解挙動を有することが必要とされている。
【００３３】
一方、可視情報記録層の色素の使用様態では、案内溝は使用されない場合がある。そして、色素には、規則正しい均質な形状のピットを形成することよりも、大きなピットを形成し、隣接トラックとの間の未記録部分をできる限り狭くすることが要求される。
【００３４】
また、可視情報の記録方法も、特開２００２−２０３３２１号公報に示すシステムのように、レーザ光を略同一の軌跡に複数回照射されるシステム又はレーザ光が光ディスクの半径方向に遥動（振動）し、及び／又は、略同一の軌跡に複数回照射されるシステムに使用されるといった差異がある。
【００３５】
そして、第１の本発明（第１光記録媒体〜第７光記録媒体）においては、さらに、下記一般式（４）で表されるフタロシアニン色素を含有するようにしてもよい。
【００３６】
【化４】
2007139139.tif 000006
【００３７】
一般式（４）中、Ｒα1〜Ｒα8及びＲβ1〜Ｒβ8は各々独立に、水素原子又は１価の置換基を表し、Ｍは、２個の水素原子、金属、金属酸化物、又は、配位子を有する金属を表す。
【００３８】
ここで、前記一般式（４）のＲα1〜Ｒα8及びＲβ1〜Ｒβ8は各々独立に、水素原子、ハロゲン原子、シアノ基、ニトロ基、ホルミル基、カルボキシル基、スルホ基、炭素原子数１〜２０のアルキル基、炭素原子数６〜１４のアリール基、炭素原子数７〜１５のアラルキル基、炭素原子数１〜１０のヘテロ環基、炭素原子数１〜２０のアルコキシ基、炭素原子数６〜１４のアリールオキシ基、炭素原子数２〜２１のアシル基、炭素原子数１〜２０アルキルスルホニル基、炭素原子数６〜２０アリールスルホニル基、炭素原子数１〜２５のカルバモイル基、炭素原子数０〜３２のスルファモイル基、炭素原子数２〜２１のアルコキシカルボニル基、炭素原子数７〜１５のアリールオキシカルボニル基、炭素原子数２〜２１のアシルアミノ基、炭素原子数１〜２０のスルホニルアミノ基、又は炭素原子数０〜３６のアミノ基であってもよい。
【００３９】
次に、第２の本発明に係る光記録媒体は、基板上に可視情報記録層を有する光記録媒体であって、前記可視情報記録層が下記一般式（１）で表される色素化合物、下記一般式（２）で表される色素化合物、下記一般式（３）で表される色素化合物のうち、少なくとも１種の色素化合物を含有することを特徴とする。
【００４０】
一般式（１）
【化５】
2007139139.tif 000007
【００４１】
一般式（１）中、Ｄ1は、水素原子又は１価の置換基を表し、Ｄ2は、水素原子又は１価の置換基を表し、Ｄ3は、芳香族基を表し、Ｄ4及びＤ5は各々独立に、水素原子、又は１価の置換基を表す。上記の１価の置換基はさらに置換基を有していてもよい。
【００４２】
ここで、前記一般式（１）のＤ1は、水素原子、アルキル基、アルコキシ基、アリール基、アルコキシカルボニル基、シアノ基、又はカルバモイル基であり、Ｄ2は、水素原子、アルキル基、アリール基、又はヘテロアリール基であり、Ｄ3は、アリール基又はヘテロアリール基であり、Ｄ4及びＤ5は各々独立に、水素原子、又はアルキル基であってもよい。
【００４３】
一般式（２）
【化６】
2007139139.tif 000008
【００４４】
一般式（２）中、式中、Ｄ6〜Ｄ12は各々独立に、水素原子又は１価の置換基を表す。Ｄ11とＤ12は互いに結合して環を形成していてもよく、Ｄ8とＤ11又は／及びＤ9とＤ12が結合して環を形成していてもよい。Ｘ及びＹは＝Ｃ（Ｄ13）−又は窒素原子を表す（このうち、Ｄ13は、水素原子、アルキル基、アリール基、アルコキシ基、アリールオキシ基、アミノ基を表す。）。また、ＸとＹが共にＣ（Ｄ13）−のとき、２つのＤ13は、互いに結合して飽和ないし不飽和炭素環を形成してもよい。上記の１価の置換基は、さらに置換基を有していてもよい。
【００４５】
ここで、前記一般式（２）のＤ6〜Ｄ10は各々独立に、水素原子、ハロゲン原子、アルキル基、アルコキシ基、アリール基、アリールオキシ基、シアノ基、アシルアミノ基、スルホニルアミノ基、ウレイド基、アルコキシカルボニルアミノ基、アルキルチオ基、アリールチオ基、アルコキシカルボニル基、カルバモイル基、スルファモイル基、スルホニル基、アシル基、又はアミノ基であることが好ましく、Ｄ11及びＤ12は各々独立に、水素原子、アルキル基、又はアリール基であることが好ましい。
【００４６】
一般式（３）
【化７】
2007139139.tif 000009
【００４７】
一般式（３）中、Ｄ14〜Ｄ21は各々独立に、水素原子又は１価の置換基を表し、Ｄ22及びＤ23は各々独立に、水素原子又は１価の置換基を表す。Ｄ22とＤ23は互いに結合して環を形成していてもよく、Ｄ19とＤ22又は／及びＤ20とＤ23が結合して環を形成していてもよい。
【００４８】
ここで、前記一般式（３）のＤ14〜Ｄ21は各々独立に、水素原子、ハロゲン原子、アルキル基、アルコキシ基、アリール基、アリールオキシ基、シアノ基、アシルアミノ基、スルホニルアミノ基、ウレイド基、アルコキシカルボニルアミノ基、アルキルチオ基、アリールチオ基、アルコキシカルボニル基、カルバモイル基、スルファモイル基、スルホニル基、アシル基、又はアミノ基であることが好ましく、Ｄ22及びＤ23は各々独立に、水素原子、アルキル基、又はアリール基であることが好ましい。
【００４９】
すなわち、第２の本発明に係る光記録媒体は、以下に示す光記録媒体を提供することができる。
【００５０】
［第１１光記録媒体］
基板上に可視情報記録層を有する光記録媒体であって、前記可視情報記録層が前記一般式（１）で表される色素化合物を含有することを特徴とする光記録媒体。
【００５１】
［第１２光記録媒体］
基板上に可視情報記録層を有する光記録媒体であって、前記可視情報記録層が前記一般式（２）で表される色素化合物を含有することを特徴とする光記録媒体。
【００５２】
［第１３光記録媒体］
基板上に可視情報記録層を有する光記録媒体であって、前記可視情報記録層が前記一般式（３）で表される色素化合物を含有することを特徴とする光記録媒体。
【００５３】
［第１４光記録媒体］
基板上に可視情報記録層を有する光記録媒体であって、前記可視情報記録層が前記一般式（１）で表される色素化合物及び前記一般式（２）で表される色素化合物を含有することを特徴とする光記録媒体。
【００５４】
［第１５光記録媒体］
基板上に可視情報記録層を有する光記録媒体であって、前記可視情報記録層が前記一般式（１）で表される色素化合物及び前記一般式（３）で表される色素化合物を含有することを特徴とする光記録媒体。
【００５５】
［第１６光記録媒体］
基板上に可視情報記録層を有する光記録媒体であって、前記可視情報記録層が前記一般式（２）で表される色素化合物及び前記一般式（３）で表される色素化合物を含有することを特徴とする光記録媒体。
【００５６】
［第１７光記録媒体］
基板上に可視情報記録層を有する光記録媒体であって、前記可視情報記録層が前記一般式（１）で表される色素化合物、前記一般式（２）で表される色素化合物及び前記一般式（３）で表される色素化合物を含有することを特徴とする光記録媒体。
【００５７】
第２の本発明に係る光情報記録媒体においては、可視情報記録層に可視情報を記録することができるシステム（例えば特開２００２−２０３３２１号公報に示すシステム）に適用した場合においても、コントラストが高く鮮明な可視情報の記録が可能で、記録された可視情報の堅牢性に優れるものとなる。
【００５８】
そして、第２の本発明（第１１光記録媒体〜第１７光記録媒体）においては、さらに、下記一般式（４）で表されるフタロシアニン色素を含有するようにしてもよい。
【００５９】
【化８】
2007139139.tif 000010
【００６０】
一般式（４）中、Ｒα1〜Ｒα8及びＲβ1〜Ｒβ8は各々独立に、水素原子又は１価の置換基を表し、Ｍは、２個の水素原子、金属、金属酸化物、又は、配位子を有する金属を表す。
【００６１】
ここで、前記一般式（４）のＲα1〜Ｒα8及びＲβ1〜Ｒβ8は各々独立に、水素原子、ハロゲン原子、シアノ基、ニトロ基、ホルミル基、カルボキシル基、スルホ基、炭素原子数１〜２０のアルキル基、炭素原子数６〜１４のアリール基、炭素原子数７〜１５のアラルキル基、炭素原子数１〜１０のヘテロ環基、炭素原子数１〜２０のアルコキシ基、炭素原子数６〜１４のアリールオキシ基、炭素原子数２〜２１のアシル基、炭素原子数１〜２０アルキルスルホニル基、炭素原子数６〜２０アリールスルホニル基、炭素原子数１〜２５のカルバモイル基、炭素原子数０〜３２のスルファモイル基、炭素原子数２〜２１のアルコキシカルボニル基、炭素原子数７〜１５のアリールオキシカルボニル基、炭素原子数２〜２１のアシルアミノ基、炭素原子数１〜２０のスルホニルアミノ基、又は炭素原子数０〜３６のアミノ基であってもよい。
【００６２】
次に、第３の本発明に係る光記録媒体は、基板上に可視情報記録層を有する光記録媒体であって、前記可視情報記録層は、レーザ光が略同一の軌跡に複数回照射されて可視情報が記録される可視情報記録層であり、下記一般式（１）で表される色素化合物、下記一般式（２）で表される色素化合物、下記一般式（３）で表される色素化合物のうち、少なくとも１種の色素化合物を含有することを特徴とする。
【００６３】
一般式（１）
【化９】
2007139139.tif 000011
【００６４】
一般式（１）中、Ｄ1は、水素原子又は１価の置換基を表し、Ｄ2は、水素原子又は１価の置換基を表し、Ｄ3は、芳香族基を表し、Ｄ4及びＤ5は各々独立に、水素原子、又は１価の置換基を表す。上記の１価の置換基はさらに置換基を有していてもよい。
【００６５】
ここで、前記一般式（１）のＤ1は、水素原子、アルキル基、アルコキシ基、アリール基、アルコキシカルボニル基、シアノ基、又はカルバモイル基であり、Ｄ2は、水素原子、アルキル基、アリール基、又はヘテロアリール基であり、Ｄ3は、アリール基又はヘテロアリール基であり、Ｄ4及びＤ5は各々独立に、水素原子、又はアルキル基であってもよい。
【００６６】
一般式（２）
【化１０】
2007139139.tif 000012
【００６７】
一般式（２）中、Ｄ6〜Ｄ12は各々独立に、水素原子又は１価の置換基を表す。Ｄ11とＤ12は互いに結合して環を形成していてもよく、Ｄ8とＤ11又は／及びＤ9とＤ12が結合して環を形成していてもよい。Ｘ及びＹは＝Ｃ（Ｄ13）−又は窒素原子を表す（このうち、Ｄ13は、水素原子、アルキル基、アリール基、アルコキシ基、アリールオキシ基、アミノ基を表す。）。また、ＸとＹが共にＣ（Ｄ13）−のとき、２つのＤ13は、互いに結合して飽和ないし不飽和炭素環を形成してもよい。上記の１価の置換基は、さらに置換基を有していてもよい。
【００６８】
ここで、前記一般式（２）のＤ6〜Ｄ10は各々独立に、水素原子、ハロゲン原子、アルキル基、アルコキシ基、アリール基、アリールオキシ基、シアノ基、アシルアミノ基、スルホニルアミノ基、ウレイド基、アルコキシカルボニルアミノ基、アルキルチオ基、アリールチオ基、アルコキシカルボニル基、カルバモイル基、スルファモイル基、スルホニル基、アシル基、又はアミノ基であることが好ましく、Ｄ11及びＤ12は各々独立に、水素原子、アルキル基、又はアリール基であることが好ましい。
【００６９】
一般式（３）
【化１１】
2007139139.tif 000013
【００７０】
一般式（３）中、Ｄ14〜Ｄ21は各々独立に、水素原子又は１価の置換基を表し、Ｄ22及びＤ23は各々独立に、水素原子又は１価の置換基を表す。Ｄ22とＤ23は互いに結合して環を形成していてもよく、Ｄ19とＤ22又は／及びＤ20とＤ23が結合して環を形成していてもよい。
【００７１】
ここで、前記一般式（３）のＤ14〜Ｄ21は各々独立に、水素原子、ハロゲン原子、アルキル基、アルコキシ基、アリール基、アリールオキシ基、シアノ基、アシルアミノ基、スルホニルアミノ基、ウレイド基、アルコキシカルボニルアミノ基、アルキルチオ基、アリールチオ基、アルコキシカルボニル基、カルバモイル基、スルファモイル基、スルホニル基、アシル基、又はアミノ基であることが好ましく、Ｄ22及びＤ23は各々独立に、水素原子、アルキル基、又はアリール基であることが好ましい。
【００７２】
すなわち、第２の本発明に係る光記録媒体は、以下に示す光記録媒体を提供することができる。
【００７３】
［第２１光記録媒体］
基板上に可視情報記録層を有する光記録媒体であって、前記可視情報記録層は、レーザ光が略同一の軌跡に複数回照射されて可視情報が記録される可視情報記録層であり、下記一般式（１）で表される色素化合物を含有することを特徴とする光記録媒体。
【００７４】
［第２２光記録媒体］
基板上に可視情報記録層を有する光記録媒体であって、前記可視情報記録層は、レーザ光が略同一の軌跡に複数回照射されて可視情報が記録される可視情報記録層であり、下記一般式（２）で表される色素化合物を含有することを特徴とする光記録媒体。
【００７５】
［第２３光記録媒体］
基板上に可視情報記録層を有する光記録媒体であって、前記可視情報記録層は、レーザ光が略同一の軌跡に複数回照射されて可視情報が記録される可視情報記録層であり、下記一般式（３）で表される色素化合物を含有することを特徴とする光記録媒体。
【００７６】
［第２４光記録媒体］
基板上に可視情報記録層を有する光記録媒体であって、前記可視情報記録層は、レーザ光が略同一の軌跡に複数回照射されて可視情報が記録される可視情報記録層であり、前記一般式（１）で表される色素化合物及び前記一般式（２）で表される色素化合物を含有することを特徴とする光記録媒体。
【００７７】
［第２５光記録媒体］
基板上に可視情報記録層を有する光記録媒体であって、前記可視情報記録層は、レーザ光が略同一の軌跡に複数回照射されて可視情報が記録される可視情報記録層であり、前記一般式（１）で表される色素化合物及び前記一般式（３）で表される色素化合物を含有することを特徴とする光記録媒体。
【００７８】
［第２６光記録媒体］
基板上に可視情報記録層を有する光記録媒体であって、前記可視情報記録層は、レーザ光が略同一の軌跡に複数回照射されて可視情報が記録される可視情報記録層であり、前記一般式（２）で表される色素化合物及び前記一般式（３）で表される色素化合物を含有することを特徴とする光記録媒体。
【００７９】
［第２７光記録媒体］
基板上に可視情報記録層を有する光記録媒体であって、前記可視情報記録層は、レーザ光が略同一の軌跡に複数回照射されて可視情報が記録される可視情報記録層であり、前記一般式（１）で表される色素化合物、前記一般式（２）で表される色素化合物及び前記一般式（３）で表される色素化合物を含有することを特徴とする光記録媒体。
【００８０】
第３の本発明に係る光情報記録媒体においても、可視情報記録層に可視情報を記録することができるシステム（例えば特開２００２−２０３３２１号公報に示すシステム）に適用した場合においても、コントラストが高く鮮明な可視情報の記録が可能で、記録された可視情報の堅牢性に優れるものとなる。
【００８１】
そして、第３の本発明（第２１光記録媒体〜第２７光記録媒体）において、さらに、下記一般式（４）で表されるフタロシアニン色素を含有するようにしてもよい。
【００８２】
【化１２】
2007139139.tif 000014
【００８３】
一般式（４）中、Ｒα1〜Ｒα8及びＲβ1〜Ｒβ8は各々独立に、水素原子又は１価の置換基を表し、Ｍは、２個の水素原子、金属、金属酸化物、又は、配位子を有する金属を表す。
【００８４】
ここで、前記一般式（４）のＲα1〜Ｒα8及びＲβ1〜Ｒβ8は各々独立に、水素原子、ハロゲン原子、シアノ基、ニトロ基、ホルミル基、カルボキシル基、スルホ基、炭素原子数１〜２０のアルキル基、炭素原子数６〜１４のアリール基、炭素原子数７〜１５のアラルキル基、炭素原子数１〜１０のヘテロ環基、炭素原子数１〜２０のアルコキシ基、炭素原子数６〜１４のアリールオキシ基、炭素原子数２〜２１のアシル基、炭素原子数１〜２０アルキルスルホニル基、炭素原子数６〜２０アリールスルホニル基、炭素原子数１〜２５のカルバモイル基、炭素原子数０〜３２のスルファモイル基、炭素原子数２〜２１のアルコキシカルボニル基、炭素原子数７〜１５のアリールオキシカルボニル基、炭素原子数２〜２１のアシルアミノ基、炭素原子数１〜２０のスルホニルアミノ基、又は炭素原子数０〜３６のアミノ基であってもよい。
【００８５】
次に、第４の本発明に係る色素化合物の利用方法は、基板上に可視情報記録層を有する光記録媒体における前記可視情報記録層の材料として色素化合物を利用する色素化合物の利用方法であって、前記可視情報記録層は、レーザ光が前記基板の半径方向に遥動し、且つ、略同一の軌跡に複数回照射されて可視情報が記録される可視情報記録層であり、下記一般式（１）で表される色素化合物、下記一般式（２）で表される色素化合物、下記一般式（３）で表される色素化合物のうち、少なくとも１種の色素化合物を含有したものを前記可視情報記録層の材料として利用することを特徴とする。
【００８６】
一般式（１）
【化１３】
2007139139.tif 000015
【００８７】
一般式（１）中、Ｄ1は、水素原子又は１価の置換基を表し、Ｄ2は、水素原子又は１価の置換基を表し、Ｄ3は、芳香族基を表し、Ｄ4及びＤ5は各々独立に、水素原子、又は１価の置換基を表す。上記の１価の置換基はさらに置換基を有していてもよい。
【００８８】
ここで、前記一般式（１）のＤ1は、水素原子、アルキル基、アルコキシ基、アリール基、アルコキシカルボニル基、シアノ基、又はカルバモイル基であり、Ｄ2は、水素原子、アルキル基、アリール基、又はヘテロアリール基であり、Ｄ3は、アリール基又はヘテロアリール基であり、Ｄ4及びＤ5は各々独立に、水素原子、又はアルキル基であってもよい。
【００８９】
一般式（２）
【化１４】
2007139139.tif 000016
【００９０】
一般式（２）中、Ｄ6〜Ｄ12は各々独立に、水素原子又は１価の置換基を表す。Ｄ11とＤ12は互いに結合して環を形成していてもよく、Ｄ8とＤ11又は／及びＤ9とＤ12が結合して環を形成していてもよい。Ｘ及びＹは＝Ｃ（Ｄ13）−又は窒素原子を表す（このうち、Ｄ13は、水素原子、アルキル基、アリール基、アルコキシ基、アリールオキシ基、アミノ基を表す。）。また、ＸとＹが共にＣ（Ｄ13）−のとき、２つのＤ13は、互いに結合して飽和ないし不飽和炭素環を形成してもよい。上記の１価の置換基は、さらに置換基を有していてもよい。
【００９１】
ここで、前記一般式（２）のＤ6〜Ｄ10は各々独立に、水素原子、ハロゲン原子、アルキル基、アルコキシ基、アリール基、アリールオキシ基、シアノ基、アシルアミノ基、スルホニルアミノ基、ウレイド基、アルコキシカルボニルアミノ基、アルキルチオ基、アリールチオ基、アルコキシカルボニル基、カルバモイル基、スルファモイル基、スルホニル基、アシル基、又はアミノ基であることが好ましく、Ｄ11及びＤ12は各々独立に、水素原子、アルキル基、又はアリール基であることが好ましい。
【００９２】
一般式（３）
【化１５】
2007139139.tif 000017
【００９３】
一般式（３）中、Ｄ14〜Ｄ21は各々独立に、水素原子又は１価の置換基を表し、Ｄ22及びＤ23は各々独立に、水素原子又は１価の置換基を表す。Ｄ22とＤ23は互いに結合して環を形成していてもよく、Ｄ19とＤ22又は／及びＤ20とＤ23が結合して環を形成していてもよい。
【００９４】
ここで、前記一般式（３）のＤ14〜Ｄ21は各々独立に、水素原子、ハロゲン原子、アルキル基、アルコキシ基、アリール基、アリールオキシ基、シアノ基、アシルアミノ基、スルホニルアミノ基、ウレイド基、アルコキシカルボニルアミノ基、アルキルチオ基、アリールチオ基、アルコキシカルボニル基、カルバモイル基、スルファモイル基、スルホニル基、アシル基、又はアミノ基であり、Ｄ22及びＤ23は各々独立に、水素原子、アルキル基、又はアリール基であることが好ましい。
【００９５】
すなわち、第３の本発明に係る色素化合物の利用方法は、以下に示す利用方法を提供することができる。
【００９６】
［第１利用方法］
基板上に可視情報記録層を有する光記録媒体における前記可視情報記録層の材料として色素化合物を利用する色素化合物の利用方法であって、前記可視情報記録層は、レーザ光が前記基板の半径方向に遥動し、且つ、略同一の軌跡に複数回照射されて可視情報が記録される可視情報記録層であり、前記一般式（１）で表される色素化合物を含有したものを前記可視情報記録層の材料として利用することを特徴とする色素化合物の利用方法。
【００９７】
［第２利用方法］
基板上に可視情報記録層を有する光記録媒体における前記可視情報記録層の材料として色素化合物を利用する色素化合物の利用方法であって、前記可視情報記録層は、レーザ光が前記基板の半径方向に遥動し、且つ、略同一の軌跡に複数回照射されて可視情報が記録される可視情報記録層であり、前記一般式（２）で表される色素化合物を含有したものを前記可視情報記録層の材料として利用することを特徴とする色素化合物の利用方法。
【００９８】
［第３利用方法］
基板上に可視情報記録層を有する光記録媒体における前記可視情報記録層の材料として色素化合物を利用する色素化合物の利用方法であって、前記可視情報記録層は、レーザ光が前記基板の半径方向に遥動し、且つ、略同一の軌跡に複数回照射されて可視情報が記録される可視情報記録層であり、前記一般式（３）で表される色素化合物を含有したものを前記可視情報記録層の材料として利用することを特徴とする色素化合物の利用方法。
【００９９】
［第４利用方法］
基板上に可視情報記録層を有する光記録媒体における前記可視情報記録層の材料として色素化合物を利用する色素化合物の利用方法であって、前記可視情報記録層は、レーザ光が前記基板の半径方向に遥動し、且つ、略同一の軌跡に複数回照射されて可視情報が記録される可視情報記録層であり、前記一般式（１）で表される色素化合物及び前記一般式（２）で表される色素化合物を含有したものを前記可視情報記録層の材料として利用することを特徴とする色素化合物の利用方法。
【０１００】
［第５利用方法］
基板上に可視情報記録層を有する光記録媒体における前記可視情報記録層の材料として色素化合物を利用する色素化合物の利用方法であって、前記可視情報記録層は、レーザ光が前記基板の半径方向に遥動し、且つ、略同一の軌跡に複数回照射されて可視情報が記録される可視情報記録層であり、前記一般式（１）で表される色素化合物及び前記一般式（３）で表される色素化合物を含有したものを前記可視情報記録層の材料として利用することを特徴とする色素化合物の利用方法。
【０１０１】
［第６利用方法］
基板上に可視情報記録層を有する光記録媒体における前記可視情報記録層の材料として色素化合物を利用する色素化合物の利用方法であって、前記可視情報記録層は、レーザ光が前記基板の半径方向に遥動し、且つ、略同一の軌跡に複数回照射されて可視情報が記録される可視情報記録層であり、前記一般式（２）で表される色素化合物及び前記一般式（３）で表される色素化合物を含有したものを前記可視情報記録層の材料として利用することを特徴とする色素化合物の利用方法。
【０１０２】
［第７利用方法］
基板上に可視情報記録層を有する光記録媒体における前記可視情報記録層の材料として色素化合物を利用する色素化合物の利用方法であって、前記可視情報記録層は、レーザ光が前記基板の半径方向に遥動し、且つ、略同一の軌跡に複数回照射されて可視情報が記録される可視情報記録層であり、前記一般式（１）で表される色素化合物、前記一般式（２）で表される色素化合物及び前記一般式（３）で表される色素化合物を含有したものを前記可視情報記録層の材料として利用することを特徴とする色素化合物の利用方法。
【０１０３】
第４の本発明に係る色素化合物の利用方法においては、可視情報の記録が可能な可視情報記録層を有する光記録媒体に適用することで、コントラストが高く鮮明な可視情報の記録が可能で、記録された可視情報の堅牢性に優れた光記録媒体を得ることができる。
【０１０４】
そして、第４の本発明（第１利用方法〜第７利用方法）において、さらに、下記一般式（４）で表されるフタロシアニン色素を含有するようにしてもよい。
【０１０５】
【化１６】
2007139139.tif 000018
【０１０６】
一般式（４）中、Ｒα1〜Ｒα8及びＲβ1〜Ｒβ8は各々独立に、水素原子又は１価の置換基を表し、Ｍは、２個の水素原子、金属、金属酸化物、又は、配位子を有する金属を表す。
【０１０７】
ここで、前記一般式（４）のＲα1〜Ｒα8及びＲβ1〜Ｒβ8は各々独立に、水素原子、ハロゲン原子、シアノ基、ニトロ基、ホルミル基、カルボキシル基、スルホ基、炭素原子数１〜２０のアルキル基、炭素原子数６〜１４のアリール基、炭素原子数７〜１５のアラルキル基、炭素原子数１〜１０のヘテロ環基、炭素原子数１〜２０のアルコキシ基、炭素原子数６〜１４のアリールオキシ基、炭素原子数２〜２１のアシル基、炭素原子数１〜２０アルキルスルホニル基、炭素原子数６〜２０アリールスルホニル基、炭素原子数１〜２５のカルバモイル基、炭素原子数０〜３２のスルファモイル基、炭素原子数２〜２１のアルコキシカルボニル基、炭素原子数７〜１５のアリールオキシカルボニル基、炭素原子数２〜２１のアシルアミノ基、炭素原子数１〜２０のスルホニルアミノ基、又は炭素原子数０〜３６のアミノ基であってもよい。
【０１０８】
次に、第５の本発明に係る可視情報記録方法は、基板上に、下記一般式（１）で表される色素化合物、下記一般式（２）で表される色素化合物、下記一般式（３）で表される色素化合物のうち、少なくとも１種の色素化合物を含有する可視情報記録層を有する光記録媒体に対し、前記可視情報記録層にレーザ光を前記基板の半径方向に遥動し、且つ、略同一の軌跡に複数回照射して可視情報を記録することを特徴とする。
【０１０９】
一般式（１）
【化１７】
2007139139.tif 000019
【０１１０】
一般式（１）中、Ｄ1は、水素原子又は１価の置換基を表し、Ｄ2は、水素原子又は１価の置換基を表し、Ｄ3は、芳香族基を表し、Ｄ4及びＤ5は各々独立に、水素原子、又は１価の置換基を表す。上記の１価の置換基はさらに置換基を有していてもよい。
【０１１１】
ここで、前記一般式（１）のＤ1は、水素原子、アルキル基、アルコキシ基、アリール基、アルコキシカルボニル基、シアノ基、又はカルバモイル基であり、Ｄ2は、水素原子、アルキル基、アリール基、又はヘテロアリール基であり、Ｄ3は、アリール基又はヘテロアリール基であり、Ｄ4及びＤ5は各々独立に、水素原子、又はアルキル基であってもよい。
【０１１２】
一般式（２）
【化１８】
2007139139.tif 000020
【０１１３】
一般式（２）中、Ｄ6〜Ｄ12は各々独立に、水素原子又は１価の置換基を表す。Ｄ11とＤ12は互いに結合して環を形成していてもよく、Ｄ8とＤ11又は／及びＤ9とＤ12が結合して環を形成していてもよい。Ｘ及びＹは＝Ｃ（Ｄ13）−又は窒素原子を表す（このうち、Ｄ13は、水素原子、アルキル基、アリール基、アルコキシ基、アリールオキシ基、アミノ基を表す。）。また、ＸとＹが共にＣ（Ｄ13）−のとき、２つのＤ13は、互いに結合して飽和ないし不飽和炭素環を形成してもよい。上記の１価の置換基は、さらに置換基を有していてもよい。
【０１１４】
ここで、前記一般式（２）のＤ6〜Ｄ10は各々独立に、水素原子、ハロゲン原子、アルキル基、アルコキシ基、アリール基、アリールオキシ基、シアノ基、アシルアミノ基、スルホニルアミノ基、ウレイド基、アルコキシカルボニルアミノ基、アルキルチオ基、アリールチオ基、アルコキシカルボニル基、カルバモイル基、スルファモイル基、スルホニル基、アシル基、又はアミノ基であることが好ましく、Ｄ11及びＤ12は各々独立に、水素原子、アルキル基、又はアリール基であることが好ましい。
【０１１５】
一般式（３）
【化１９】
2007139139.tif 000021
【０１１６】
一般式（３）中、Ｄ14〜Ｄ21は各々独立に、水素原子又は１価の置換基を表し、Ｄ22及びＤ23は各々独立に、水素原子又は１価の置換基を表す。Ｄ22とＤ23は互いに結合して環を形成していてもよく、Ｄ19とＤ22又は／及びＤ20とＤ23が結合して環を形成していてもよい。
【０１１７】
ここで、前記一般式（３）のＤ14〜Ｄ21は各々独立に、水素原子、ハロゲン原子、アルキル基、アルコキシ基、アリール基、アリールオキシ基、シアノ基、アシルアミノ基、スルホニルアミノ基、ウレイド基、アルコキシカルボニルアミノ基、アルキルチオ基、アリールチオ基、アルコキシカルボニル基、カルバモイル基、スルファモイル基、スルホニル基、アシル基、又はアミノ基であり、Ｄ22及びＤ23は各々独立に、水素原子、アルキル基、又はアリール基であることが好ましい。
【０１１８】
すなわち、第５の本発明に係る可視情報記録方法は、以下に示す可視情報記録方法を提供することができる。
【０１１９】
［第１可視情報記録方法］
基板上に、前記一般式（１）で表される色素化合物を含有する可視情報記録層を有する光記録媒体に対し、前記可視情報記録層にレーザ光を前記基板の半径方向に遥動し、且つ、略同一の軌跡に複数回照射して可視情報を記録することを特徴とする可視情報記録方法。
【０１２０】
［第２可視情報記録方法］
基板上に、前記一般式（２）で表される色素化合物を含有する可視情報記録層を有する光記録媒体に対し、前記可視情報記録層にレーザ光を前記基板の半径方向に遥動し、且つ、略同一の軌跡に複数回照射して可視情報を記録することを特徴とする可視情報記録方法。
【０１２１】
［第３可視情報記録方法］
基板上に、前記一般式（３）で表される色素化合物を含有する可視情報記録層を有する光記録媒体に対し、前記可視情報記録層にレーザ光を前記基板の半径方向に遥動し、且つ、略同一の軌跡に複数回照射して可視情報を記録することを特徴とする可視情報記録方法。
【０１２２】
［第４可視情報記録方法］
基板上に、前記一般式（１）で表される色素化合物及び前記一般式（２）で表される色素化合物を含有する可視情報記録層を有する光記録媒体に対し、前記可視情報記録層にレーザ光を前記基板の半径方向に遥動し、且つ、略同一の軌跡に複数回照射して可視情報を記録することを特徴とする可視情報記録方法。
【０１２３】
［第５可視情報記録方法］
基板上に、前記一般式（１）で表される色素化合物及び前記一般式（３）で表される色素化合物を含有する可視情報記録層を有する光記録媒体に対し、前記可視情報記録層にレーザ光を前記基板の半径方向に遥動し、且つ、略同一の軌跡に複数回照射して可視情報を記録することを特徴とする可視情報記録方法。
【０１２４】
［第６可視情報記録方法］
基板上に、前記一般式（２）で表される色素化合物及び前記一般式（２）で表される色素化合物を含有する可視情報記録層を有する光記録媒体に対し、前記可視情報記録層にレーザ光を前記基板の半径方向に遥動し、且つ、略同一の軌跡に複数回照射して可視情報を記録することを特徴とする可視情報記録方法。
【０１２５】
［第７可視情報記録方法］
基板上に、前記一般式（１）で表される色素化合物、前記一般式（２）で表される色素化合物及び前記一般式（３）で表される色素化合物を含有する可視情報記録層を有する光記録媒体に対し、前記可視情報記録層にレーザ光を前記基板の半径方向に遥動し、且つ、略同一の軌跡に複数回照射して可視情報を記録することを特徴とする可視情報記録方法。
【０１２６】
第５の本発明に係る可視情報記録方法においては、可視情報記録層に可視情報を記録することができるシステム（例えば特開２００２−２０３３２１号公報に示すシステム）に適用した場合においても、コントラストが高く鮮明な可視情報の記録が可能で、記録された可視情報の堅牢性に優れるものとなる。
【０１２７】
そして、第５の本発明（第１可視情報記録方法〜第７可視情報記録方法）において、さらに、下記一般式（４）で表されるフタロシアニン色素を含有するようにしてもよい。
【０１２８】
【化２０】
2007139139.tif 000022
【０１２９】
一般式（４）中、Ｒα1〜Ｒα8及びＲβ1〜Ｒβ8は各々独立に、水素原子又は１価の置換基を表し、Ｍは、２個の水素原子、金属、金属酸化物、又は、配位子を有する金属を表す。
【０１３０】
前記一般式（４）のＲα1〜Ｒα8及びＲβ1〜Ｒβ8は各々独立に、水素原子、ハロゲン原子、シアノ基、ニトロ基、ホルミル基、カルボキシル基、スルホ基、炭素原子数１〜２０のアルキル基、炭素原子数６〜１４のアリール基、炭素原子数７〜１５のアラルキル基、炭素原子数１〜１０のヘテロ環基、炭素原子数１〜２０のアルコキシ基、炭素原子数６〜１４のアリールオキシ基、炭素原子数２〜２１のアシル基、炭素原子数１〜２０アルキルスルホニル基、炭素原子数６〜２０アリールスルホニル基、炭素原子数１〜２５のカルバモイル基、炭素原子数０〜３２のスルファモイル基、炭素原子数２〜２１のアルコキシカルボニル基、炭素原子数７〜１５のアリールオキシカルボニル基、炭素原子数２〜２１のアシルアミノ基、炭素原子数１〜２０のスルホニルアミノ基、又は炭素原子数０〜３６のアミノ基であってもよい。
【０１３１】
以上説明したように、本発明に係る光記録媒体、色素化合物の利用方法及び可視情報記録方法によれば、可視情報記録層に可視情報を記録することができるシステムに適用した場合においても、コントラストが高く鮮明な可視情報の記録が可能で、しかも、記録された可視情報は、堅牢性に優れたものとなる。
【図面の簡単な説明】
【０１３２】
【図１】図１は、本実施の形態に係る光記録媒体を一部省略して示す断面図である。
【図２】図２は、本実施の形態に係る光記録媒体の可視情報記録媒体部を一部省略して示す断面図である。
【図３】図３は、本実施の形態に係る光記録媒体の情報記録媒体部を一部省略して示す断面図である。
【図４】図４は、本実施の形態に係る光記録媒体の製造方法の一例を示す工程ブロック図である。
【図５】図５は、実施例１〜１０に係る光記録媒体のコントラスト評価を示す表図である。
【発明を実施するための最良の形態】
【０１３３】
以下、本発明に係る光記録媒体、色素化合物の利用方法及び可視情報記録方法
の実施の形態例を図１〜図５を参照しながら説明する。【０１３４】
先ず、本実施の形態に係る光記録媒体１０は、図１に示すように、透明性の第１基板と、該第１基板１２上に形成された可視情報記録層１４とを有し、第１基板１２側から照射されたレーザ光１６により可視情報記録層１４に可視情報が記録されるようになっている。【０１３５】
具体的には、光記録媒体１０は、図１に示すように、可視情報記録媒体部１８と情報記録媒体部２０とが接着層２２を介して貼り合わされた構成を有する。【０１３６】
可視情報記録媒体部１８は、図２に示すように、表面が平坦とされた前記第１基板１２を有する。第１基板１２の表面には、可視情報記録層１４が形成され、該可視情報記録層１４上に第１反射層２４が形成され、該第１反射層２４上に第１保護層２６が形成されている。【０１３７】
情報記録媒体部２０は、図３に示すように、表面にプリグルーブ２８が形成された透明性の第２基板３０を有する。第２基板３０の表面には、プリグルーブ２８の凹凸に沿って情報記録層３２が形成され、該情報記録層３２上に第２反射層３４が形成され、該第２反射層３４上に第２保護層３６が形成されている。【０１３８】
そして、可視情報記録媒体部１８と情報記録媒体部２０とを貼り合わせる際に、図１に示すように、第１基板１２上に形成された第１保護層２６と、第２基板３０上に形成された第２保護層３６とを対向させ、さらに、これら可視情報記録媒体部１８と情報記録媒体部２０との間に接着層２２を介在させて貼り合わせることで、光記録媒体１０が構成される。【０１３９】
なお、情報記録層３２は、第２基板３０側から照射されたレーザ光１６によってデータ（ピット情報）の記録及び／又は再生が可能となっている。【０１４０】
以下、光記録媒体１０、光記録媒体１０の製造方法及び可視情報記録方法について説明する。【０１４１】
光記録媒体１０の種類としては、読出し専用型、追記型、書換え可能型等のいずれでもよいが、追記型であることが好ましい。また、追記型の場合、その記録形式としては、相変化型、光磁気型、色素型等、特に制限されないが、色素型であることが好ましい。【０１４２】
光記録媒体１０の層構成としては、例えば、以下の構成が挙げられる。【０１４３】
（１）第１の層構成は、図示しないが、第２基板３０上に、情報記録層３２、第２反射層３４、接着層２２、第１反射層２４、可視情報記録層１４及び第１基板１２を設ける構成である。【０１４４】
（２）第２の層構成は、図示しないが、第２基板３０上に、情報記録層３２、第２反射層３４、接着層２２、可視情報記録層１４及び第１基板１２を設ける構成である。【０１４５】
（３）第３の層構成は、図示しないが、第２基板３０上に、情報記録層３２、第２反射層３４、第２保護層３６、接着層２２、可視情報記録層１４及び第１基板１２を設ける構成である。【０１４６】
（４）第４の層構成は、図示しないが、第２基板３０上に、情報記録層３２、第２反射層３４、第２保護層３６、接着層２２、第１保護層２６、可視情報記録層１４及び第１基板１２を設ける構成である。【０１４７】
（５）第５の層構成は、図１の例と同様に、第２基板３０上に、情報記録層３２、第２反射層３４、第２保護層３６、接着層２２、第１保護層２６、第１反射層２４、可視情報記録層１４及び第１基板１２を設ける構成である。【０１４８】
なお、上記（１）〜（５）の層構成は単なる例示であり、これらの層構成は上述の順番のみでなく、一部を入れ替えてもよい。また、一部を省略してもかまわない。さらに、各層は１層で構成されても複数層で構成されてもよい。【０１４９】
以下、第１基板１２、第２基板３０及び各層について説明する。【０１５０】
［第１基板１２］
光記録媒体１０の第１基板１２は、従来の光記録媒体の基板として用いられている各種の材料から任意に選択することができる。【０１５１】
第１基板１２の材料としては、例えば、ガラス、ポリカーボネート、ポリメチルメタクリレート等のアクリル樹脂、ポリ塩化ビニル、塩化ビニル共重合体等の塩化ビニル系樹脂、エポキシ樹脂、アモルファスポリオレフィン及びポリエステル等を挙げることができ、所望によりそれらを併用してもよい。【０１５２】
なお、これらの材料はフィルム状として、又は剛性のある第１基板１２として使うことができる。上記材料の中では、耐湿性、寸法安定性及び価格等の点からポリカーボネートが好ましい。【０１５３】
第１基板１２の厚さは、０．１〜１．２ｍｍとすることが好ましく、０．２〜１．１ｍｍとすることがより好ましい。【０１５４】
可視情報記録層１４が設けられる側の第１基板１２の表面側には、平面性の改善、接着力の向上及び可視情報記録層１４の変質防止の目的で、下塗層が設けられてもよい。【０１５５】
下塗層の材料としては例えば、ポリメチルメタクリレート、アクリル酸・メタクリル酸共重合体、スチレン・無水マレイン酸共重合体、ポリビニルアルコール、Ｎ−メチロールアクリルアミド、スチレン・ビニルトルエン共重合体、クロルスルホン化ポリエチレン、ニトロセルロース、ポリ塩化ビニル、塩素化ポリオレフィン、ポリエステル、ポリイミド、酢酸ビニル・塩化ビニル共重合体、エチレン・酢酸ビニル共重合体、ポリエチレン、ポリプロピレン、ポリカーボネート等の高分子物質；及びシランカップリング剤等の表面改質剤等を挙げることができる。下塗層は、上記物質を適当な溶剤に溶解又は分散して塗布液を調製した後、この塗布液をスピンコート、ディップコート、エクストルージョンコート等の塗布法により、第１基板１２の表面に塗布することにより形成することができる。【０１５６】
下塗層の層厚は、一般に０．００５〜２０μｍの範囲にあり、好ましくは０．０１〜１０μｍの範囲である。【０１５７】
［可視情報記録層１４］
光記録媒体１０は、上述のように、情報記録層３２とは別に（好ましくは反対の面側に）、色素化合物を主成分とする可視情報記録層１４を有する。ここで、「色素化合物を主成分とする」とは、可視情報記録層１４中の全固形分に対する色素化合物の含有量（複数種の色素化合物を使用する場合は、その合計量）が５０質量％以上であることをいう。可視情報記録層１４中の色素化合物の含有量は、好ましくは８０％質量以上、より好ましくは９０〜１００質量％である。【０１５８】
可視情報記録層１４の厚さは、０．０１〜２００μｍとすることが好ましく、０．０５〜１００μｍとすることがより好ましく、０．１〜５０μｍとすることがさらに好ましい。【０１５９】
可視情報記録層１４と情報記録層３２との厚さの比（可視情報記録層１４の厚み／情報記録層３２の厚み）は、１／１００〜１００／１とすることが好ましく、１／１０〜１０／１とすることがより好ましい。【０１６０】
可視情報記録層１４には、文字、図形、絵柄等、ユーザが所望する可視情報が記録される。可視情報としては、例えば、ディスクのタイトル、内容情報、内容のサムネール、関連した絵柄、デザイン的な絵柄、著作権情報、記録日時、記録方法、記録フォーマット等が挙げられる。【０１６１】
可視情報記録層１４は、文字、画像、絵柄等の情報を視認可能に記録できればよく、光記録媒体１０においては、４００〜８５０ｎｍの光波長の範囲内に極大吸収を有し、使用するレーザ光１６に対して０．０５以上（好ましくは０．１以上１．０以下）の吸光度を有する色素を用いることが好ましい。【０１６２】
そして、光記録媒体１０の可視情報記録層１４は、下記一般式（１）で表される色素化合物、下記一般式（２）で表される色素化合物、下記一般式（３）で表される色素化合物のうち、少なくとも１種の色素化合物を含有する。【０１６３】
一般式（１）
【化２１】
2007139139.tif 000023
【０１６４】
一般式（１）中、式中、Ｄ1は、水素原子又は１価の置換基を表し、Ｄ2は、水素原子又は１価の置換基を表し、Ｄ3は、芳香族基を表し、Ｄ4及びＤ5は各々独立に、水素原子、又は１価の置換基を表す。上記の１価の置換基はさらに置換基を有していてもよい。【０１６５】
具体的には、前記一般式（１）のＤ1は、水素原子、アルキル基、アルコキシ基、アリール基、アルコキシカルボニル基、シアノ基、又はカルバモイル基であり、Ｄ2は、水素原子、アルキル基、アリール基、又はヘテロアリール基であり、Ｄ3は、アリール基又はヘテロアリール基であり、Ｄ4及びＤ5は各々独立に、水素原子、又はアルキル基であってもよい。【０１６６】
一般式（２）
【化２２】
2007139139.tif 000024
【０１６７】
一般式（２）中、Ｄ6〜Ｄ12は各々独立に、水素原子又は１価の置換基を表す。Ｄ11とＤ12は互いに結合して環を形成していてもよく、Ｄ8とＤ11又は／及びＤ9とＤ12が結合して環を形成していてもよい。Ｘ及びＹは＝Ｃ（Ｄ13）−又は窒素原子を表す（このうち、Ｄ13は、水素原子、アルキル基、アリール基、アルコキシ基、アリールオキシ基、アミノ基を表す。）。また、ＸとＹが共にＣ（Ｄ13）−のとき、２つのＤ13は、互いに結合して飽和ないし不飽和炭素環を形成してもよい。上記の１価の置換基は、さらに置換基を有していてもよい。【０１６８】
具体的には、前記一般式（２）のＤ6〜Ｄ10は各々独立に、水素原子、ハロゲン原子、アルキル基、アルコキシ基、アリール基、アリールオキシ基、シアノ基、アシルアミノ基、スルホニルアミノ基、ウレイド基、アルコキシカルボニルアミノ基、アルキルチオ基、アリールチオ基、アルコキシカルボニル基、カルバモイル基、スルファモイル基、スルホニル基、アシル基、又はアミノ基であることが好ましく、Ｄ11及びＤ12は各々独立に、水素原子、アルキル基、又はアリール基であることが好ましい。【０１６９】
一般式（３）
【化２３】
2007139139.tif 000025
【０１７０】
一般式（３）中、Ｄ14〜Ｄ21は各々独立に、水素原子又は１価の置換基を表し、Ｄ22及びＤ23は各々独立に、水素原子又は１価の置換基を表す。Ｄ22とＤ23は互いに結合して環を形成していてもよく、Ｄ19とＤ22又は／及びＤ20とＤ23が結合して環を形成していてもよい。【０１７１】
具体的には、前記一般式（３）のＤ14〜Ｄ21は各々独立に、水素原子、ハロゲン原子、アルキル基、アルコキシ基、アリール基、アリールオキシ基、シアノ基、アシルアミノ基、スルホニルアミノ基、ウレイド基、アルコキシカルボニルアミノ基、アルキルチオ基、アリールチオ基、アルコキシカルボニル基、カルバモイル基、スルファモイル基、スルホニル基、アシル基、又はアミノ基であることが好ましく、Ｄ22及びＤ23は各々独立に、水素原子、アルキル基、又はアリール基であることが好ましい。【０１７２】
以下に、前記各基についてさらに詳細に説明する。【０１７３】
一般式（２）及び（３）のハロゲン原子としては、フッ素原子、塩素原子、臭素原子及びヨウ素原子が挙げられる。中でも塩素原子及び臭素原子が好ましく、特に塩素原子が好ましい。【０１７４】
一般式（１）〜（３）のアルキル基には、置換又は無置換のシクロアルキル基及びビシクロアルキル基、並びに直鎖または分岐の置換または無置換のアルキル基が含まれる。前記の直鎖または分岐の置換または無置換のアルキル基の炭素数は、１〜３０の範囲であることが好ましい。その具体例としては、メチル基、エチル基、ｎ−プロピル基、イソプロピル基、ｔ−ブチル基、ｎ−オクチル基、エイコシル基、２−クロロエチル基、２−シアノエチル基、または２−エチルヘキシル基を挙げることができる。前記の置換または無置換のシクロアルキル基の炭素数は、３〜３０の範囲であることが好ましい。その具体例としては、シクロヘキシル基、シクロペンチル基、４−ｎ−ドデシルシクロヘキシル基を挙げることができる。前記の置換または無置換のビシクロアルキル基としては、炭素数５〜３０のビシクロアルキル基、つまり、炭素数５〜３０のビシクロアルカンから水素原子を一個取り去った一価の基が好ましい。その具体例としては、ビシクロ［１，２，２］ヘプタン−２−イル、ビシクロ［２，２，２］オクタン−３−イル）を挙げることができる。さらに環構造が多いトリシクロ構造なども包含するものである。以下に説明する置換基の中のアルキル基（例えばアルキルチオ基のアルキル基）も上記概念のアルキル基を表す。【０１７５】
一般式（１）〜（３）のアルコキシ基には、置換または無置換のアルコキシ基が含まれる。前記置換または無置換のアルコキシ基としては、炭素数１〜３０のアルコキシ基が好ましい。前記アルコキシ基の例としては、メトキシ基、エトキシ基、イソプロポキシ基、ｎ−オクチルオキシ基、メトキシエトキシ基、ヒドロキシエトキシ基および３−カルボキシプロポキシ基などを挙げることが出来る。【０１７６】
一般式（１）〜（３）のアリール基は、例えば、炭素数６〜３０の置換または無置換のアリール基であり、その具体例としては、フェニル基、ｐ−トリル基、ナフチル基、ｍ−クロロフェニル基、ｏ−ヘキサデカノイルアミノフェニル基が挙げられる。【０１７７】
一般式（１）〜（３）のアルコキシカルボニル基としては、炭素数２〜３０の置換または無置換アルコキシカルボニル基が好ましい。前記アルコキシカルボニル基の例としては、メトキシカルボニル基、エトキシカルボニル基、ｔ−ブトキシカルボニル基、ｎ−オクタデシルオキシカルボニル基などを挙げることができる。【０１７８】
一般式（１）〜（３）のカルバモイル基としては、炭素数１〜３０の置換または無置換のカルバモイル基が好ましい。前記カルバモイル基の例としては、カルバモイル基、Ｎ−メチルカルバモイル基、Ｎ，Ｎ−ジメチルカルバモイル基、Ｎ，Ｎ−ジ−ｎ−オクチルカルバモイル基、Ｎ−（メチルスルホニル）カルバモイル基などを挙げることができる。【０１７９】
一般式（２）及び（３）のアリールオキシ基としては、炭素数６〜３０の置換または無置換のアリールオキシ基が好ましい。前記アリールオキシ基の例としては、フェノキシ基、２−メチルフェノキシ基、４−ｔ−ブチルフェノキシ基、３−ニトロフェノキシ基、２−テトラデカノイルアミノフェノキシ基などを挙げることができる。【０１８０】
一般式（２）及び（３）の前記アシルアミノ基としては、ホルミルアミノ基、炭素数１〜３０の置換または無置換のアルキルカルボニルアミノ基、炭素数６〜３０の置換または無置換のアリールカルボニルアミノ基が好ましい。前記アシルアミノ基の例としては、ホルミルアミノ基、アセチルアミノ基、ピバロイルアミノ基、ラウロイルアミノ基、ベンゾイルアミノ基、３，４，５−トリ−ｎ−オクチルオキシフェニルカルボニルアミノ基などを挙げることができる。【０１８１】
一般式（２）及び（３）のアルコキシカルボニルアミノ基としては、炭素数２〜３０の置換または無置換アルコキシカルボニルアミノ基が好ましい。前記アルコキシカルボニルアミノ基の例としては、メトキシカルボニルアミノ基、エトキシカルボニルアミノ基、ｔ−ブトキシカルボニルアミノ基、ｎ−オクタデシルオキシカルボニルアミノ基、Ｎ−メチルーメトキシカルボニルアミノ基などを挙げることができる。【０１８２】
一般式（２）及び（３）のアルキルチオ基としては、炭素数１〜３０の置換または無置換のアルキルチオ基が好ましい。前記アルキルチオ基の例としては、メチルチオ基、エチルチオ基、ｎ−ヘキサデシルチオ基などを挙げることができる。【０１８３】
一般式（２）及び（３）のスルファモイル基としては、炭素数０〜３０の置換または無置換のスルファモイル基が好ましい。前記スルファモイル基の例としては、Ｎ−エチルスルファモイル基、Ｎ−（３−ドデシルオキシプロピル）スルファモイル基、Ｎ，Ｎ−ジメチルスルファモイル基、Ｎ−アセチルスルファモイル基、Ｎ−ベンゾイルスルファモイル基、Ｎ−（Ｎ’−フェニルカルバモイル）スルファモイル基などを挙げることができる。【０１８４】
一般式（２）及び（３）のアシル基としては、ホルミル基、炭素数２〜３０の置換または無置換のアルキルカルボニル基、炭素数７〜３０の置換または無置換のアリールカルボニル基、炭素数４〜３０の置換または無置換の炭素原子でカルボニル基と結合しているヘテロ環カルボニル基が好ましい。前記アシル基の例としては、例えば、アセチル基、ピバロイル基、２−クロロアセチル基、ステアロイル基、ベンゾイル基、ｐ−ｎ−オクチルオキシフェニルカルボニル基、２−ピリジルカルボニル基、２−フリルカルボニル基などを挙げることができる。【０１８５】
一般式（２）及び（３）のアミノ基には、アリールアミノ基が含まれる。前記アミノ基としては、炭素数１〜３０の置換または無置換のアルキルアミノ基、炭素数６〜３０の置換または無置換のアリールアミノ基が好ましい。前記アミノ基の例としては、例えば、アミノ基、メチルアミノ基、ジメチルアミノ基、アニリノ基、Ｎ-メチル−アニリノ基、ジフェニルアミノ基、ヒドロキシエチルアミノ基、カルボキシエチルアミノ基、スルフォエチルアミノ基、３，５−ジカルボキシアニリノ基などを挙げることができる。【０１８６】
そして、本実施の形態に係る光記録媒体１０は、上述した各色素化合物を単独で用いることもでき、２種以上の色素化合物を組み合わせて使用することもできる。一般式（１）で表される色素化合物は黄色系の色素化合物であり、一般式（２）で表される色素化合物はマゼンタ系の色素化合物であり、一般式（３）で表される色素はシアン系の色素化合物である。本実施の形態では、所望の色調に応じて必要に応じて適宜色素化合物を組み合わせて使用することができる。上記各色素化合物は、照射されたレーザ光１６を吸収して光−熱変換することにより、発生した熱によって色素が分解し、可視光領域の光の吸収が減少し得る。これにより、未分解色素により呈色した領域との間で色調の差が生じることにより、可視情報記録層１４に画像等の可視情報を形成することができる。【０１８７】
各色素化合物は、４００〜８５０ｎｍの波長領域のレーザ光１６に対して吸光度０．５以上（好ましくは０．１〜１．０）の吸収を有することが好ましい。可視情報記録層１４に含まれる色素化合物が上記吸収を有することにより、レーザ光１６の照射によって、良好な視認性を有する文字、画像、絵柄等の可視情報を記録することができる。【０１８８】
このようなことから、少なくとも以下に示す第１光記録媒体〜第７光記録媒体を提供することができる。【０１８９】
［第１光記録媒体］
可視情報記録層１４は、一般式（１）で表される色素化合物を含有する。【０１９０】
［第２光記録媒体］
可視情報記録層１４は、一般式（２）で表される色素化合物を含有する。【０１９１】
［第３光記録媒体］
可視情報記録層１４は、一般式（３）で表される色素化合物を含有する。【０１９２】
［第４光記録媒体］
可視情報記録層１４は、一般式（１）で表される色素化合物及び一般式（２）で表される色素化合物を含有する。【０１９３】
［第５光記録媒体］
可視情報記録層１４は、一般式（１）で表される色素化合物及び一般式（３）で表される色素化合物を含有する。【０１９４】
［第６光記録媒体］
可視情報記録層１４は、一般式（２）で表される色素化合物及び一般式（３）で表される色素化合物を含有する。【０１９５】
［第７光記録媒体］
可視情報記録層１４は、一般式（１）で表される色素化合物、一般式（２）で表される色素化合物及び一般式（３）で表される色素化合物を含有する。【０１９６】
上述した第１光記録媒体〜第７光記録媒体において、さらに、下記一般式（４）で表されるフタロシアニン色素を含有するようにしてもよい。【０１９７】
【化２４】
2007139139.tif 000026
【０１９８】
一般式（４）中、Ｒα1〜Ｒα8及びＲβ1〜Ｒβ8は各々独立に、水素原子又は１価の置換基を表し、Ｍは、２個の水素原子、金属、金属酸化物、又は、配位子を有する金属を表す。【０１９９】
具体的には、前記一般式（４）のＲα1〜Ｒα8及びＲβ1〜Ｒβ8は各々独立に、水素原子、ハロゲン原子、シアノ基、ニトロ基、ホルミル基、カルボキシル基、スルホ基、炭素原子数１〜２０のアルキル基、炭素原子数６〜１４のアリール基、炭素原子数７〜１５のアラルキル基、炭素原子数１〜１０のヘテロ環基、炭素原子数１〜２０のアルコキシ基、炭素原子数６〜１４のアリールオキシ基、炭素原子数２〜２１のアシル基、炭素原子数１〜２０アルキルスルホニル基、炭素原子数６〜２０アリールスルホニル基、炭素原子数１〜２５のカルバモイル基、炭素原子数０〜３２のスルファモイル基、炭素原子数２〜２１のアルコキシカルボニル基、炭素原子数７〜１５のアリールオキシカルボニル基、炭素原子数２〜２１のアシルアミノ基、炭素原子数１〜２０のスルホニルアミノ基、又は炭素原子数０〜３６のアミノ基であってもよい。【０２００】
一般式（４）において、Ｒα1〜Ｒα8のすべてが同時に水素原子ではないことが好ましく、さらに、Ｒα1及びＲα2のいずれか一方、Ｒα3及びＲα4のいずれか一方、Ｒα5及びＲα6のいずれか一方、Ｒα7及びＲα8のいずれか一方の計４つの置換基が同時に水素原子ではないことが好ましく、特にこのとき、Ｒβ1〜Ｒβ8のすべてが同時に水素原子であることが好ましい。【０２０１】
一般式（４）において、Ｒα1〜Ｒα8およびＲβ1〜Ｒβ8の好ましい例としては、水素原子、ハロゲン原子、カルボキシル基、スルホ基、炭素数１乃至１６のアルキル基、炭素原子数６乃至１０のアリール基、炭素原子数１乃至１６のアルコキシ基、炭素原子数６乃至１０のアリールオキシ基、炭素原子数１乃至１６のスルホニル基、炭素原子数２乃至２０のスルファモイル基、炭素原子数２乃至１７のアルコキシカルボニル基、炭素原子数７乃至１１のアリールオキシカルボニル基、炭素原子数２乃至１８のアシルアミノ基、炭素原子数１乃至１８のスルホニルアミノ基を挙げることができるが、より好ましいものは、水素原子、ハロゲン原子、カルボキシル基、スルホ基、炭素原子数１乃至１６のアルコキシ基、炭素原子数６乃至１０のアリールオキシ基、炭素原子数１乃至１４のアルキルスルホニル基、炭素原子数６乃至１４のアリールスルホニル基、炭素原子数２乃至１６のスルファモイル基、炭素原子数２乃至１３のアルコキシカルボニル基、炭素原子数２乃至１４のアシルアミノ基、炭素原子数１乃至１４のスルホニルアミノ基であり、さらに好ましくは、Ｒα1〜Ｒα8が水素原子、ハロゲン原子、スルホ基、炭素原子数８乃至１６のアルコキシ基、炭素原子数１乃至１２のスルホニル基、炭素原子数１乃至１２のスルファモイル基、炭素原子数２乃至１２のアシルアミノ基、炭素原子数１乃至１２のスルホニルアミノ基、Ｒβ1〜Ｒβ8が水素原子またはハロゲン原子であり、特に好ましくは、Ｒα1〜Ｒα8の少なくとも１つが、スルホ基、炭素原子数１乃至１０のスルホニル基、炭素原子数１乃至１０のスルファモイル基、Ｒβ1〜Ｒβ8が水素原子である。【０２０２】
一般式（４）において、Ｒα1〜Ｒα8およびＲβ1〜Ｒβ8はさらに置換基を有していてもよく、該置換基の例としては、以下に記載のものを挙げることができる。炭素原子数１〜２０の鎖状または環状のアルキル基（例えば、メチル基、エチル基、イソプロピル基、シクロヘキシル基）、炭素原子数６〜１８のアリール基（例えば、フェニル基、クロロフェニル基、２，４−ジ−ｔ−アミルフェニル基、１−ナフチル基）、炭素原子数７〜１８のアラルキル基（例えば、ベンジル基、アニシル基）、炭素原子数２〜２０のアルケニル基（例えば、ビニル基、２−メチルビニル基）、炭素原子数２〜２０のアルキニル基（例えば、エチニル基、２−メチルエチニル基、２−フェニルエチニル基）、ハロゲン原子（例えば、Ｆ、Ｃｌ、Ｂｒ、Ｉ）、シアノ基、ヒドロキシル基、カルボキシル基、炭素原子数２〜２０のアシル基（例えば、アセチル基、ベンゾイル基、サリチロイル基、ピバロイル基）、炭素原子数１〜２０のアルコキシ基（例えば、メトキシ基、ブトキシ基、シクロヘキシルオキシ基）、炭素原子数６〜２０のアリールオキシ基（例えば、フェノキシ基、１−ナフトキシ基、トルオイル基）、炭素原子数１〜２０のアルキルチオ基（例えば、メチルチオ基、ブチルチオ基、ベンジルチオ基、３−メトキシプロピルチオ基）、炭素原子数６〜２０のアリールチオ基（例えば、フェニルチオ基、４−クロロフェニルチオ基）、炭素原子数１〜２０のアルキルスルホニル基（例えば、メタンスルホニル基、ブタンスルホニル基）、炭素原子数６〜２０のアリールスルホニル基（例えば、ベンゼンスルホニル基、パラトルエンスルホニル基）、炭素原子数１〜１７のカルバモイル基（例えば、無置換のカルバモイル基、メチルカルバモイル基、エチルカルバモイル基、ｎ−ブチルカルバモイル基、ジメチルカルバモイル基）、炭素原子数１〜１６のアミド基（例えば、アセトアミド基、ベンズアミド基）、炭素原子数２〜１０のアシルオキシ基（例えば、アセトキシ基、ベンゾイルオキシ基）、炭素原子数２〜１０のアルコキシカルボニル基（例えば、メトキシカルボニル基、エトキシカルボニル基）、５もしくは６員のヘテロ環基（例えば、ピリジル基、チエニル基、フリル基、チアゾリル基、イミダゾリル基、ピラゾリル基等の芳香族ヘテロ環基；ピロリジン環基、ピペリジン環基、モルホリン環基、ピラン環基、チオピラン環基、ジオキサン環基、ジチオラン環基等のヘテロ環基）。【０２０３】
一般式（４）において、Ｒα1〜Ｒα8およびＲβ1〜Ｒβ8の置換基として好ましいものは、炭素原子数１〜１６の鎖状または環状のアルキル基、炭素原子数６〜１４のアリール基、炭素原子数７〜１５のアラルキル基、炭素原子数１〜１６のアルコキシ基、炭素原子数６〜１４のアリールオキシ基、ハロゲン原子、炭素原子数２〜１７のアルコキシカルボニル基、炭素原子数１〜１０のカルバモイル基、炭素数１〜１０のアミド基であり、中でも好ましいものは、炭素原子数１〜１０の鎖状または環状のアルキル基、炭素原子数７〜１３のアラルキル基、炭素原子数６〜１０のアリール基、炭素原子数１〜１０のアルコキシ基、炭素原子数６〜１０のアリールオキシ基、塩素原子、炭素原子数２〜１１のアルコキシカルボニル基、炭素原子数１〜７のカルバモイル基、炭素数１〜８のアミド基であり、特に好ましいものは、炭素原子数１〜８の鎖状分岐または環状のアルキル基、炭素原子数７〜１１のアラルキル基、炭素原子数１〜８のアルコキシ基、炭素原子数３〜９のアルコキシカルボニル基、フェニル基および塩素原子であり、さらに優れて好ましいものは炭素原子数１〜６のアルコキシ基である。【０２０４】
一般式（４）において、Ｍは金属であることが好ましく、なかでも、亜鉛、マグネシウム、銅、ニッケルまたはパラジウムが好ましく、さらに銅またはニッケルが好ましく、特に銅が好ましい。【０２０５】
フタロシアニン色素の具体例を下記に示す。【０２０６】
【表１】
2007139139.tif 000027
【０２０７】
【表２】
2007139139.tif 000028
【０２０８】
【表３】
2007139139.tif 000029
【０２０９】
【表４】
2007139139.tif 000030
【０２１０】
本実施の形態に用いられるフタロシアニン誘導体は、例えば白井−小林共著、（株）アイピーシー発行「フタロシアニン−化学と機能−」（ｐ．１〜６２）、Ｃ．Ｃ．Ｌｅｚｎｏｆｆ−Ａ．Ｂ．Ｐ．Ｌｅｖｅｒ共著、ＶＣＨ発行'Ｐｈｔｈａｌｏｃｙａｎｉｎｅｓ−Ｐｒｏｐｅｒｔｉｅｓ ａｎｄ Ａｐｐｌｉｃａｔｉｏｎｓ'（ｐ．１〜５４）等に記載、引用もしくはこれらに類似の方法により合成することができる。【０２１１】
ここで、一般式（１）〜（３）で表される色素化合物の具体例について説明する。【０２１２】
先ず、上述した一般式（１）で表される色素化合物の具体例（Ｙ−１）〜（Ｙ−１０）を以下に示す。なお、本発明に用いられる色素化合物は、具体例（Ｙ−１）〜（Ｙ−１０）に限定されるものではない。【０２１３】
（Ｙ−１）
【化２５】
2007139139.tif 000031
【０２１４】
（Ｙ−２）
【化２６】
2007139139.tif 000032
【０２１５】
（Ｙ−３）
【化２７】
2007139139.tif 000033
【０２１６】
（Ｙ−４）
【化２８】
2007139139.tif 000034
【０２１７】
（Ｙ−５）
【化２９】
2007139139.tif 000035
【０２１８】
（Ｙ−６）
【化３０】
2007139139.tif 000036
【０２１９】
（Ｙ−７）
【化３１】
2007139139.tif 000037
【０２２０】
（Ｙ−８）
【化３２】
2007139139.tif 000038
【０２２１】
（Ｙ−９）
【化３３】
2007139139.tif 000039
【０２２２】
（Ｙ−１０）
【化３４】
2007139139.tif 000040
【０２２３】
次に、上述した一般式（２）で表される色素化合物の具体例（Ｍ−１）〜（Ｍ−７）を以下に示す。なお、本発明に用いられる色素化合物は、具体例（Ｍ−１）〜（Ｍ−７）に限定されるものではない。【０２２４】
（Ｍ−１）
【化３５】
2007139139.tif 000041
【０２２５】
（Ｍ−２）
【化３６】
2007139139.tif 000042
【０２２６】
（Ｍ−３）
【化３７】
2007139139.tif 000043
【０２２７】
（Ｍ−４）
【化３８】
2007139139.tif 000044
【０２２８】
（Ｍ−５）
【化３９】
2007139139.tif 000045
【０２２９】
（Ｍ−６）
【化４０】
2007139139.tif 000046
【０２３０】
（Ｍ−７）
【化４１】
2007139139.tif 000047
【０２３１】
上述した一般式（３）で表される色素化合物の具体例（Ｃ−１）〜（Ｃ−９）を以下に示す。なお、本発明に用いられる色素化合物は、具体例（Ｃ−１）〜（Ｃ−９）に限定されるものではない。【０２３２】
（Ｃ−１）
【化４２】
2007139139.tif 000048
【０２３３】
（Ｃ−２）
【化４３】
2007139139.tif 000049
【０２３４】
（Ｃ−３）
【化４４】
2007139139.tif 000050
【０２３５】
（Ｃ−４）
【化４５】
2007139139.tif 000051
【０２３６】
（Ｃ−５）
【化４６】
2007139139.tif 000052
【０２３７】
（Ｃ−６）
【化４７】
2007139139.tif 000053
【０２３８】
（Ｃ−７）
【化４８】
2007139139.tif 000054
【０２３９】
（Ｃ−８）
【化４９】
2007139139.tif 000055
【０２４０】
（Ｃ−９）
【化５０】
2007139139.tif 000056
【０２４１】
上述の前記一般式（Ｙ−１）〜（Ｙ−７）、（Ｍ−１）〜（Ｍ−７）、（Ｃ−１）〜（Ｃ−９）で表される色素化合物は、市販品として入手可能なものもある。また、市販されていないものに関しては、以下の文献記載の方法に準じて合成することができる：ＵＳ  Ａｐｐｌｉｃａｔｉｏｎ  Ｓｅｒ．Ｎｏ．０７／０５９，４４２、米国特許３，７７０，３７０号明細書、特開２００４−５１８７３号明細書、独国特許２３１６７５５号明細書、特開平７−１３７４５５号明細書、特開昭６１−３１２９２号公報、Ｊ．Ｃｈｅｍ．Ｓｏｃ．Ｐｅｒｋｉｎ  ｔｒａｎｓｆｅｒ  Ｉ，１９７７，２０４７、Ｃｈａｍｐａｎ著「Ｍｅｒｏｃｙａｎｉｎｅ  Ｄｙｅ−Ｄｏｎｅｒ  Ｅｌｅｍｅｎｔ  Ｕｓｅｄ  ｉｎ  ｔｈｅｒｍａｌ  Ｄｙｅ  Ｔｒａｎｓｅｆｅｒ」。【０２４２】
光記録媒体１０は、上述した色素化合物を可視情報記録層１４（好ましくは情報記録層３２も）として有するものであれば特に制限はないが、光記録媒体１０をＣＤ−Ｒに適用する場合には、トラックピッチ１．４〜１．８μｍのプリグルーブ２８（図１参照）が形成された厚さ１．２±０．２ｍｍの円盤状の第２基板３０上に、前記色素化合物を含む情報記録層３２、第２反射層３４、第２保護層３６、接着層２２、第１保護層２６、第１反射層２４、前記色素化合物を含む可視情報記録層１４、第１基板１２をこの順に有する構成であることが好ましい。また、ＤＶＤ−Ｒに適用する場合には以下の二つの態様であることが好ましい。【０２４３】
（１）トラックピッチ０．６〜０．９μｍのプリグルーブ２８が形成された厚さ０．６±０．１ｍｍの円盤状の第２基板３０上に、前記色素化合物を含む情報記録層３２及び光反射層が設けられてなる２つの積層体が、それぞれ情報記録層３２が内側となるように接合され、厚さ１．２±０．２ｍｍであり、少なくともいずれかの第２基板３０上に可視情報記録層１４及び第１基板１２を設けてなる光記録媒体。【０２４４】
（２）トラックピッチ０．６〜０．９μｍのプリグルーブ２８が形成された厚さ０．６±０．１ｍｍの円盤状の第２基板３０上に、前記色素化合物を含む情報記録層３２及び光反射層が設けられてなる積層体と、該積層体の円盤状の第２基板３０と同じ形状の透明な円盤状保護基板とを、情報記録層３２が内側となるように接合され、厚さ１．２±０．２ｍｍであり、少なくともどちらかの基板上に可視情報記録層１４及び第１基板１２を設けてなる光記録媒体。なお、上記ＤＶＤ−Ｒ型の光記録媒体においては、光反射層の上にはさらに保護層を設けた構成とすることもできる。【０２４５】
可視情報記録層１４に記録される可視情報とは、視覚的に認識可能な画像を意味し、文字（列）、絵柄、図形等、あらゆる視認可能な情報を含む。また、文字情報としては、使用可能者指定情報、使用期間指定情報、使用可能回数指定情報、レンタル情報、分解能指定情報、レイヤ指定情報、ユーザ指定情報、著作権者情報、著作権番号情報、製造者情報、製造日情報、販売日情報、販売店又は販売者情報、使用セット番号情報、地域指定情報、言語指定情報、用途指定情報、製品使用者情報、使用番号情報等が挙げられる。【０２４６】
可視情報記録層１４は、上述した色素化合物を溶剤に溶解して塗布液を調製し、該塗布液を塗布することによって形成することができる。溶剤としては後述する情報記録層３２の塗布液の調製に使用する溶剤と同じ溶剤を使用することができる。その他の添加剤、塗布方法等、後述する情報記録層３２と同様にして行うことができる。【０２４７】
［情報記録層３２］
情報記録層３２は、レーザ光１６を照射して情報の記録が可能な層である。情報記録層３２は、デジタル情報等の符号情報（コード化情報）が記録される層であり、追記型（色素追記型が好ましい）、相変化型、光磁気型等が挙げられ、特に制限はないが、色素型であることが好ましい。【０２４８】
色素型の情報記録層３２に含有される色素の具体例としては、シアニン色素、オキソノール色素、金属錯体系色素、アゾ色素、フタロシアニン色素等が挙げられる。また、特開平４−７４６９０号、特開平８−１２７１７４号、同１１−５３７５８号、同１１−３３４２０４号、同１１−３３４２０５号、同１１−３３４２０６号、同１１−３３４２０７号、特開２０００−４３４２３号、同２０００−１０８５１３号および同２０００−１５８８１８号等の各公報に記載されている色素が好適に用いられる。【０２４９】
情報記録層３２は、色素等の記録物質を、結合剤等と共に適当な溶剤に溶解して塗布液を調製し、次いでこの塗布液を第２基板３０上に塗布して塗膜を形成した後、乾燥することにより形成することができる。塗布液中の記録物質の濃度は、一般に０．０１〜１５質量％の範囲であり、好ましくは０．１〜１０質量％の範囲、より好ましくは０．５〜５質量％の範囲、最も好ましくは０．５〜３質量％の範囲である。【０２５０】
情報記録層３２は、蒸着法、スパッタリング法、ＣＶＤ法、溶剤塗布法等の方法によって形成することができる。中でも、溶剤塗布法を用いることが好ましい。この場合、前記色素等の他、さらに所望によりクエンチャ、結合剤等を溶剤に溶解して塗布液を調製し、次いでこの塗布液を第２基板３０の表面に塗布して塗膜を形成した後、乾燥することにより、情報記録層３２を形成することができる。【０２５１】
塗布液の溶剤としては、酢酸ブチル、乳酸エチル、セロソルブアセテート等のエステル；メチルエチルケトン、シクロヘキサノン、メチルイソブチルケトン等のケトン；ジクロルメタン、１，２−ジクロルエタン、クロロホルム等の塩素化炭化水素；ジメチルホルムアミド等のアミド；メチルシクロヘキサン等の炭化水素；ジブチルエーテル、ジエチルエーテル、テトラヒドロフラン、ジオキサン等のエーテル；エタノール、ｎ−プロパノール、イソプロバノール、ｎ−ブタノール、ジアセトンアルコール等のアルコール；２，２，３，３−テトラフルオロプロパノール等のフッ素系溶剤；エチレングリコールモノメチルエーテル、エチレングリコールモノエチルエーテル、プロピレングリコールモノメチルエーテル等のグリコールエーテル類等を挙げることができる。【０２５２】
上記溶剤は使用する色素の溶解性を考慮して単独で、または２種以上を組み合わせて使用することができる。塗布液中にはさらに酸化防止剤、ＵＶ吸収剤、可塑剤、潤滑剤等、各種の添加剤を目的に応じて添加してもよい。【０２５３】
結合剤を使用する場合、該結合剤の例としては、ゼラチン、セルロース誘導体、デキストラン、ロジン、ゴム等の天然有機高分子物質；およびポリエチレン、ポリプロピレン、ポリスチレン、ポリイソブチレン等の炭化水素系樹脂；ポリ塩化ビニル、ポリ塩化ビニリデン、ポリ塩化ビニル・ポリ酢酸ビニル共重合体等のビニル系樹脂；ポリアクリル酸メチル、ポリメタクリル酸メチル等のアクリル樹脂；ポリビニルアルコール、塩素化ポリエチレン、エポキシ樹脂、ブナラール樹脂、ゴム誘導体、フェノール・ホルムアルデヒド樹脂等の熱硬化性樹脂の初期縮合物等の合成有機高分子を挙げることができる。【０２５４】
情報記録層３２の材料として結合剤を併用する場合、結合剤の使用量は、一般に色素の質量の０．０１倍量〜５０倍量の範囲にあり、好ましくは０．１倍量〜５倍量の範囲にある。【０２５５】
前記溶剤塗布の塗布方法としては、スプレー法、スピンコート法、ディップ法、ロールコート法、ブレードコート法、ドクターロール法、スクリーン印刷法等を挙げることができる。情報記録層３２は単層でも重層でもよい。情報記録層３２の層厚は一般に１０〜５００ｎｍの範囲にあり、好ましくは１５〜３００ｎｍの範囲にあり、より好ましくは２０〜１５０ｎｍの範囲にある。【０２５６】
情報記録層３２には、情報記録層３２の耐光性を向上させるために、種々の枢色防止剤を含有させることができる。褪色防止剤としては、一般的に、一重項酸素クエンチャが用いられる。一重項酸素クエンチャとしては、既に公知の特許明細書等の刊行物に記載のものを利用することができる。前記一重項酸素クエンチャ等の褪色防止剤の使用量は、通常、色素の質量の０．１〜５０質量％の範囲であり、好ましくは、０．５〜４５質量％の範囲、さらに好ましくは、３〜４０質量％の範囲、特に好ましくは５〜２５質量％の範囲である。【０２５７】
相変化型の情報記録層３２を構成する材料の具体例としては、Ｓｂ−Ｔｅ合金、Ｇｅ−Ｓｂ−Ｔｅ合金、Ｐｄ−Ｇｅ−Ｓｂ−Ｔｅ合金、Ｎｂ−Ｇｅ−Ｓｂ−Ｔｅ合金、Ｐｄ−Ｎｂ−Ｇｅ−Ｓｂ−Ｔｅ合金、Ｐｔ−Ｇｅ−Ｓｂ−Ｔｅ合金、Ｃｏ−Ｇｅ−Ｓｂ−Ｔｅ合金、Ｉｎ−Ｓｂ−Ｔｅ合金、Ａｇ−Ｉｎ−Ｓｂ−Ｔｅ合金、Ａｇ−Ｖ−Ｉｎ−Ｓｂ−Ｔｅ合金、Ａｇ−Ｇｅ−Ｉｎ−Ｓｂ−Ｔｅ合金等が挙げられる。相変化型の情報記録層３２の層厚は、１０〜５０ｎｍとすることが好ましく、１５〜３０ｎｍとすることがより好ましい。相変化型の情報記録層３２は、スパッタ法、真空蒸着法等の気相薄膜堆積法等によって形成することができる。【０２５８】
［第２基板３０］
第２基板３０は、従来の光記録媒体の基板として用いられている各種の材料から任意に選択された材料を用いて形成することができる。【０２５９】
第２基板３０の材料としては、例えば、ガラス、ポリカーボネート、ポリメチルメタクリレート等のアクリル樹脂、ポリ塩化ビニル、塩化ビニル共重合体等の塩化ビニル系樹脂、エポキシ樹脂、アモルファスポリオレフィンおよびポリエステル等を挙げることができ、所望によりそれらを併用してもよい。なお、これらの材料はフィルム状として、または剛性のある第２基板３０として使うことができる。上記材料の中では、耐湿性、寸法安定性および価格等の点からポリカーボネートが好ましい。【０２６０】
第１基板３０の厚さは、０．１〜１．２ｍｍとすることが好ましく、０．２〜１．１ｍｍとすることがより好ましい。【０２６１】
情報記録層３２が設けられる側の第２基板３０の表面側（プリグルーブ２８が形成された面側）には、平面性の改善、接着力の向上および情報記録層３２の変質防止の目的で、下塗層が設けられてもよい。【０２６２】
下塗層の材料としては例えば、ポリメチルメタクリレート、アクリル酸・メタクリル酸共重合体、スチレン・無水マレイン酸共重合体、ポリビニルアルコール、Ｎ−メチロールアクリルアミド、スチレン・ビニルトルエン共重合体、クロルスルホン化ポリエチレン、ニトロセルロース、ポリ塩化ビニル、塩素化ポリオレフィン、ポリエステル、ポリイミド、酢酸ビニル・塩化ビニル共重合体、エチレン・酢酸ビニル共重合体、ポリエチレン、ポリプロピレン、ポリカーボネート等の高分子物質；およびシランカップリング剤等の表面改質剤等を挙げることができる。下塗層は、上記物質を適当な溶剤に溶解または分散して塗布液を調製した後、この塗布液をスピンコート、ディップコート、エクストルージョンコート等の塗布法により、第２基板３０の表面に塗布することにより形成することができる。【０２６３】
下塗層の層厚は、一般に０．００５〜２０μｍの範囲にあり、好ましくは０．０１〜１０μｍの範囲である。【０２６４】
［第１反射層２４及び第２反射層３４］
情報の再生時における反射率の向上の目的で、可視情報記録層１４に隣接して第１反射層２４が設けられ、情報記録層３２に隣接して第２反射層３４が設けられることがある。【０２６５】
第１反射層２４及び第２反射層３４の材料である光反射性物質は、レーザ光１６に対する反射率が高い物質であり、その例としては、Ｍｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ａｕ、Ｚｎ、Ｃｄ、Ａｌ、Ｇａ、Ｉｎ、Ｓｉ、Ｇｅ、Ｔｅ、Ｐｂ、Ｐｏ、Ｓｎ、Ｂｉ等の金属及び半金属あるいはステンレス鋼を挙げることができる。これらの物質は単独で用いてもよいし、あるいは２種以上の組合せで、又は合金として用いてもよい。【０２６６】
第１反射層２４は、例えば上記光反射性物質を蒸着、スパッタリング又はイオンプレーティングすることにより、可視情報記録層１４の上に形成することができる。第２反射層３４も同様に、例えば上記光反射性物質を蒸着、スパッタリング又はイオンプレーティングすることにより、情報記録層３２上に形成することができる。第１反射層２４及び第２反射層３４の層厚は、１０〜３００ｎｍの範囲にあり、５０〜２００ｎｍの範囲にあることが好ましい。【０２６７】
［接着層２２］
接着層２２は、情報記録媒体部１８と可視情報記録媒体部２０との密着性を向上させるために形成される層である。【０２６８】
接着層２２を構成する材料としては、光硬化性樹脂が好ましく、なかでも光記録媒体１０の反りを防止するため、硬化収縮率の小さいものが好ましい。このような光硬化性樹脂としては、例えば、大日本インキ化学工業株式会社製の「ＳＤ−６４０」、「ＳＤ−３４７」等のＵＶ硬化性樹脂（ＵＶ硬化性接着剤）を挙げることができる。また、接着層２２の厚さは、弾力性を持たせるため、１〜１０００μｍの範囲が好ましく、５〜５００μｍの範囲がより好ましく、１０〜１００μｍの範囲が特に好ましい。【０２６９】
［第１保護層２６及び第２保護層３６］
第１反射層２４や可視情報記録層１４を物理的及び化学的に保護する目的で第１保護層２６が設けられ、第２反射層３４や情報記録層３２を物理的及び化学的に保護する目的で第２保護層３６が設けられることがある。【０２７０】
なお、ＤＶＤ−Ｒ型の光記録媒体の製造の場合と同様の形態、すなわち２枚の基板（一方が透明基板２４の場合を含む）を２つの情報記録層３２を内側にして貼り合わせる構成をとる場合は、必ずしも第１保護層２６及び第２保護層３６の形成は必要ではない。【０２７１】
第１保護層２６及び第２保護層３６に用いられる材料の例としては、ＺｎＳ、ＺｎＳ−ＳｉＯ2、ＳｉＯ、ＳｉＯ2、ＭｇＦ2、ＳｎＯ2、Ｓｉ3Ｎ4等の無機物質、熱可塑性樹脂、熱硬化性樹脂、ＵＶ硬化性樹脂等の有機物質を挙げることができる。【０２７２】
また、熱可塑性樹脂、熱硬化性樹脂の場合には、これらを適当な溶剤に溶解して塗布液を調製した後、この塗布液を塗布し、乾燥することによっても形成することができる。ＵＶ硬化性樹脂の場合には、そのままもしくは適当な溶剤に溶解して塗布液を調製した後、この塗布液を塗布し、ＵＶ光を照射して硬化させることによっても形成することができる。これらの塗布液中には、さらに帯電防止剤、酸化防止剤、ＵＶ吸収剤等の各種添加剤を目的に応じて添加してもよい。保護層の層厚は、一般には０．１μｍ〜１ｍｍの範囲にある。【０２７３】
また、光記録媒体１０は、レーザ光１６により再生可能な情報が記録された記録部（ピット）を有する、いわゆる再生専用型の光記録媒体に適用することができるのは既述の通りである。【０２７４】
このように、本実施の形態に係る光記録媒体１０においては、可視情報記録層１４が下記一般式（１）で表される色素化合物、下記一般式（２）で表される色素化合物、下記一般式（３）で表される色素化合物のうち、少なくとも１種の色素化合物を含有するようにしたので、可視情報記録層１４に可視情報を記録することができるシステム（例えば特開２００２−２０３３２１号公報に示すシステム）に適用した場合においても、コントラストが高く鮮明な可視情報の記録が可能で、記録された可視情報の堅牢性に優れるものとなる。【０２７５】
［光情報記録媒体１０の製造方法］
次に、本実施の形態に係る光情報記録媒体１０の製造方法について図４を参照しながら説明する。【０２７６】
先ず、図４のステップＳ１において、第１基板１２を作製するための第１スタンパを作製する。このとき、出来上がる第１スタンパにて例えば樹脂材料を射出成形することによって第１基板１２を形成した際に、該第１基板１２の表面が平坦面となるように、第１スタンパを作製する。【０２７７】
その後、図４のステップＳ２において、第１スタンパに対して例えばポリカーボネート等の樹脂材料を射出成形することによって、第１基板１２を作製する。このとき、表面が平坦面とされた第１基板１２（図２参照）が作製される。【０２７８】
次に、図４のステップＳ３において、第１基板１２を冷却した後、第１基板１２の表面に、後に可視情報記録層１４となる色素を塗布する。例えば、色素を含む塗布液（色素塗布液）を調製し、この色素塗布液をスピンコート法によって、第１基板１２のうち、平坦加工された表面に塗布する。【０２７９】
その後、図４のステップＳ４において、色素塗布液を乾燥するためのアニール処理を行う。例えば温度８０℃で３時間のアニール処理等が施される。このアニール処理によって色素塗布液が可視情報記録層１４となる。【０２８０】
その後、図４のステップＳ５において、可視情報記録層１４の表面に第１反射層２４を、例えばスパッタ法にて形成する。【０２８１】
その後、図４のステップＳ６において、第１反射層２４の表面に、第１保護層２６を形成する。例えばＵＶ硬化性樹脂を適当な溶剤に溶解して塗布液を調製した後、この塗布液を塗布し、ＵＶ光を照射して硬化させることによって第１保護層２６とする。この段階で可視情報記録媒体部１８が完成する。【０２８２】
一方、図４のステップＳ１０１において、第２基板３０を作製するための第２スタンパを作製する。この場合、第２スタンパとなる原板に対して選択的にエッチングを施して、表面に凹凸を有する第２スタンパを作製する。例えば原板に対してＤＵＶ（波長３３０ｎｍ以下、深紫外線）レーザや、ＥＢ（電子ビーム）によるカッティングによる高精度なマスタリングを行って第２スタンパを作製する。【０２８３】
このとき、出来上がる第２スタンパにて例えば樹脂材料を射出成形あるいは押出成形等することによって第２基板３０を形成した際に、該第２基板３０の表面にプリグルーブ２８が形成されるように、原板にマスタリングを行って第２スタンパを作製する。【０２８４】
その後、図４のステップＳ１０２において、第２スタンパに対して例えばポリカーボネート等の樹脂材料を射出成形することによって、第２基板３０を作製する。このとき、第２基板３０の表面に第２スタンパの凹凸が転写されて、プリグルーブ２８が形成される。【０２８５】
なお、上述の例では、ポリカーボネート等の樹脂材料を射出成形あるいは押出成形して第２基板３０を作製するようにしたが、以下のように平坦面とされた第２基板３０の表面にそれぞれプリグルーブ層を形成して、プリグルーブ２８を形成するようにしてもよい。【０２８６】
プリグルーブ層の材料としては、アクリル酸のモノエステル、ジエステル、トリエステル及びテトラエステルのうち少なくとも一種のモノマー（又はオリゴマー）と光重合開始剤との混合物を用いることができる。プリグルーブ層の形成は、例えば第２基板３０についてみると、第２スタンパ上に上記のアクリル酸エステル及び重合開始剤からなる混合液を塗布し、さらにこの塗布液層上に第２基板３０を載せたのち、第２基板３０又は第２スタンパを介して紫外線を照射することにより塗布層を硬化させて第２基板３０と塗布層とを固着させる。次いで、第２基板３０を第２スタンパから剥離することにより、表面にプリグルーブ２８が形成されたプリグルーブ層が固着された第２基板３０を得ることができる。【０２８７】
次に、図４のステップＳ１０３において、第２基板３０を冷却した後、第２基板３０の表面に、後に情報記録層３２となる色素を塗布する。例えば、色素を含む塗布液（色素塗布液）を調製し、この色素塗布液をスピンコート法によって、第２基板３０のうち、プリグルーブ２８が形成されている表面に塗布する。【０２８８】
その後、図４のステップＳ１０４において、色素塗布液を乾燥するためのアニール処理を行う。例えば温度８０℃で３時間のアニール処理等が施される。このアニール処理によって色素塗布液が情報記録層３２となる。【０２８９】
その後、図４のステップＳ１０５において、情報記録層３２の表面に第２反射層３４を、例えばスパッタ法にて形成する。【０２９０】
その後、図４のステップＳ１０６において、第２反射層３４の表面に、第２保護層３６を形成する。例えばＵＶ硬化性樹脂を適当な溶剤に溶解して塗布液を調製した後、この塗布液を塗布し、ＵＶ光を照射して硬化させることによって第２保護層３６とするようにしてもよい。この段階で情報記録媒体部２０が完成する。【０２９１】
その後、図４のステップＳ２０１において、可視情報記録媒体部１８と情報記録媒体部２０とを貼り合わせる。このとき、可視情報記録媒体部１８上に形成された第１保護層２６と情報記録媒体部２０上に形成された第２保護層３６とを対向させ、さらに、可視情報記録媒体部１８と情報記録媒体部２０との間に接着層２２を介在させて貼り合わせる。この貼り合わせによって、光記録媒体１０が完成する。【０２９２】
［可視情報記録方法］
光記録媒体１０に対する可視情報記録方法は、光記録媒体１０の可視情報記録層１４への可視情報記録方法であって、可視情報記録層１４への可視情報の記録に、情報記録層３２の記録に用いるレーザ光１６と同じレーザ光１６（図１参照）を用いることが好ましい。【０２９３】
この可視情報記録方法は、光記録媒体１０と、少なくとも該光記録媒体１０の可視情報記録層１４への可視情報の記録が可能な後述する記録装置とを用いて行う。【０２９４】
この可視情報記録方法は、情報記録層３２への記録に用いるレーザ光１６と同じレーザ光１６を使用して可視情報記録層１４に可視情報の記録を行うため、１つの記録装置においてレーザ光源を共有することができ、記録装置のハードウエア資源を必要最小限に抑えることができると共に、一般ユーザがこれらの装置を用いて簡単に可視情報を記録することができる。【０２９５】
なお、光記録媒体１０の可視情報記録層１４への可視情報の記録は、この可視情報記録方法によって可視情報記録を行うことが最も好ましいが、光記録媒体１０の可視情報記録層１４への可視情報の記録はこれに制限されるものではない。【０２９６】
［記録装置］
ここで、光情報記録媒体１０への記録に用いられる記録装置について説明する。【０２９７】
光記録媒体１０において、可視情報記録層１４への可視情報の記録、及び情報記録層３２へのデータ（ピット情報）の記録は、１つの光ディスクドライブ（記録装置）で行うことができる。１つの光ディスクドライブを使用する場合、可視情報記録層１４及び情報記録層３２のいずれか一方の層への記録を行った後、裏返して他方の層に記録を行うことができる。可視情報記録層１４への可視情報の記録をする機能を有する光ディスクドライブとしては、例えば、特開２００３−２０３３４８号、特開２００３−２４２７５０号等の各公報に記載されているため、その詳細説明は省略する。【０２９８】
また、可視情報記録層１４への可視情報の記録に際し、記録装置は、光記録媒体１０とレーザピックアップとを、光記録媒体１０の面に沿って相対移動させ、該相対移動に同期してレーザ光１６を、画像形成しようとする文字、絵等の画像データに応じて変調して可視情報記録層１４に向けて照射して可視情報を記録する。つまり、可視情報記録層１４にレーザ光１６を光記録媒体１０の半径方向に遥動（振動）し、且つ、略同一の軌跡に複数回照射して可視情報を記録する。このような構成は、例えば、特開２００２−２０３３２１号公報等に記載されているため、その詳細説明は省略する。【０２９９】
以下に、実施例１〜１０に係る光記録媒体のコントラスト評価について図５を参照しながら説明する。なお、本実施の形態に係る光記録媒体１０は、実施例１〜１０に示す態様に限定されるものではない。【０３００】
（実施例１）
実施例１に係る光記録媒体は、図１に示すように、本実施の形態に係る光記録媒体１０と同様の層構成を有する例えばＤＶＤ−Ｒ型の光記録媒体である。以下に、実施例１に係る光記録媒体の作製方法を説明する。【０３０１】
先ず、可視情報記録層１４を形成するため、上述した色素化合物（Ｙ−１）と上述した（Ｉ−１）で示すフタロシアニン色素の混合物１．０ｇ／溶媒  １００ｍｌを、２，２，３，３−テトラフルオロ−１−プロパノール１００ｍｌに溶解した可視情報記録層用塗布液を調製した。該可視情報記録層用塗布液を厚さ０．６ｍｍ、直径１２０ｍｍの第１基板２６上にスピンコートにて形成した。色素化合物（Ｙ−１）とフタロシアニン色素（Ｉ−１）の混合比は７：３である。【０３０２】
次に、可視情報記録層１４上に銀をスパッタして膜厚１２０ｎｍの第１反射層２４を形成した後、紫外線硬化樹脂（ＳＤ３１８（大日本インキ化学工業株式会社製）をスピンコート法により塗布した後、紫外線を照射して硬化し、層厚１０μｍの第１保護層を形成した。以上の工程により、可視情報記録媒体部を作製した。【０３０３】
次に、射出成形にて、ポリカーボネート樹脂から、スパイラル状（螺旋状）のグルーブ（深さ：１３０ｎｍ、幅３００ｎｍ、トラックピッチ：０．７４μｍ）を有する厚さ０．６ｍｍ、直径１２０ｍｍの第２基板１６を成形した。【０３０４】
その後、下記の２種のオキソノール色素各１．５ｇを、２，２，３，３−テトラフルオロ−１−プロパノール１００ｍｌに溶解して塗布液を調製し、この塗布液をスピンコート法により第１基板１６のプリグルーブ２８が形成された面上に塗布し、記録層１８を形成した。【０３０５】
（２種のオキソノール色素）
【化５１】
2007139139.tif 000057
【０３０６】
次に、情報記録層１８上に銀をスパッタして膜厚１２０ｎｍの第２反射層２０を形成した後、紫外線硬化樹脂（ＳＤ３１８（大日本インキ化学工業株式会社製）をスピンコート法により塗布した後、紫外線を照射して硬化し、層厚１０μｍの第２保護層を形成した。以上の工程により、情報記録媒体部を作製した。【０３０７】
次いで、可視情報記録媒体部と情報記録媒体部とを貼り合せて、１枚の光記録媒体として完成させるため、次のような工程を経た。先ず、可視情報記録媒体部の第１保護層上及び情報記録媒体部の第２保護層上にそれぞれ遅効性カチオン重合型接着剤（ソニーケミカル株式会社社製、ＳＤＫ７０００）をスクリーン印刷によって印刷した。このとき、スクリーン印刷の印刷版のメッシュサイズは３００メッシュのものを使用した。次に、メタルハライドランプを使用して紫外線照射した直後、可視情報記録媒体部と情報記録媒体部とをそれぞれの保護層側から貼り合わせ、両面から押圧し、５分間放置して、実施例１に係る光記録媒体を作製した。【０３０８】
（実施例２）
上述した色素化合物（Ｙ−１）と上述した色素化合物（Ｍ−１）の混合物１．０ｇ／溶媒  １００ｍｌを、２，２，３，３−テトラフルオロ−１−プロパノール１００ｍｌに溶解した可視情報記録層用塗布液を調製し、該可視情報記録層用塗布液を厚さ０．６ｍｍ、直径１２０ｍｍの第１基板２６上にスピンコートにて塗布して可視情報記録層を形成した以外は、実施例１と同じである。色素化合物（Ｙ−１）と色素化合物（Ｍ−１）の混合比は７：３である。【０３０９】
（実施例３）
上述した色素化合物（Ｙ−１）と上述した色素化合物（Ｃ−１）の混合物１．０ｇ／溶媒  １００ｍｌを、２，２，３，３−テトラフルオロ−１−プロパノール１００ｍｌに溶解した可視情報記録層用塗布液を調製し、該可視情報記録層用塗布液を厚さ０．６ｍｍ、直径１２０ｍｍの第１基板２６上にスピンコートにて塗布して可視情報記録層を形成した以外は、実施例１と同じである。色素化合物（Ｙ−１）と色素化合物（Ｃ−１）の混合比は７：３である。【０３１０】
（実施例４）
上述した色素化合物（Ｍ−１）と上述した（Ｉ−１）で示すフタロシアニン色素の混合物１．０ｇ／溶媒  １００ｍｌを、２，２，３，３−テトラフルオロ−１−プロパノール１００ｍｌに溶解した可視情報記録層用塗布液を調製し、該可視情報記録層用塗布液を厚さ０．６ｍｍ、直径１２０ｍｍの第１基板２６上にスピンコートにて塗布して可視情報記録層を形成した以外は、実施例１と同じである。色素化合物（Ｙ−１）とフタロシアニン色素（Ｉ−１）の混合比は７：３である。【０３１１】
（実施例５）
上述した色素化合物（Ｍ−１）と上述した色素化合物（Ｃ−１）の混合物１．０ｇ／溶媒  １００ｍｌを、２，２，３，３−テトラフルオロ−１−プロパノール１００ｍｌに溶解した可視情報記録層用塗布液を調製し、該可視情報記録層用塗布液を厚さ０．６ｍｍ、直径１２０ｍｍの第１基板２６上にスピンコートにて塗布して可視情報記録層を形成した以外は、実施例１と同じである。色素化合物（Ｍ−１）と色素化合物（Ｃ−１）の混合比は７：３である。【０３１２】
（実施例６）
上述した色素化合物（Ｃ−１）１．０ｇ／溶媒  １００ｍｌを、２，２，３，３−テトラフルオロ−１−プロパノール１００ｍｌに溶解した可視情報記録層用塗布液を調製し、該可視情報記録層用塗布液を厚さ０．６ｍｍ、直径１２０ｍｍの第１基板２６上にスピンコートにて塗布して可視情報記録層を形成した以外は、実施例１と同じである。【０３１３】
（実施例７）
上述した色素化合物（Ｙ−１）と上述した色素化合物（Ｍ−１）と上述した色素化合物（Ｃ−１）の混合物１．０ｇ／溶媒  １００ｍｌを、２，２，３，３−テトラフルオロ−１−プロパノール１００ｍｌに溶解した可視情報記録層用塗布液を調製し、該可視情報記録層用塗布液を厚さ０．６ｍｍ、直径１２０ｍｍの第１基板２６上にスピンコートにて塗布して可視情報記録層を形成した以外は、実施例１と同じである。色素化合物（Ｙ−１）と色素化合物（Ｍ−１）と色素化合物（Ｃ−１）の混合比は４：４：２である。【０３１４】
（実施例８）
上述した色素化合物（Ｙ−１）と上述した色素化合物（Ｍ−１）とフタロシアニン色素の混合物１．０ｇ／溶媒  １００ｍｌを、２，２，３，３−テトラフルオロ−１−プロパノール１００ｍｌに溶解した可視情報記録層用塗布液を調製し、該可視情報記録層用塗布液を厚さ０．６ｍｍ、直径１２０ｍｍの第１基板２６上にスピンコートにて塗布して可視情報記録層を形成した以外は、実施例１と同じである。色素化合物（Ｙ−１）と色素化合物（Ｍ−１）とフタロシアニン色素（Ｉ−１）の混合比は４：４：２である。【０３１５】
（実施例９）
上述した色素化合物（Ｙ−２）とフタロシアニン色素の混合物１．０ｇ／溶媒  １００ｍｌを、２，２，３，３−テトラフルオロ−１−プロパノール１００ｍｌに溶解した可視情報記録層用塗布液を調製し、該可視情報記録層用塗布液を厚さ０．６ｍｍ、直径１２０ｍｍの第１基板２６上にスピンコートにて塗布して可視情報記録層を形成した以外は、実施例１と同じである。色素化合物（Ｙ−２）とフタロシアニン色素（Ｉ−１）の混合比は７：３である。【０３１６】
（実施例１０）
上述した色素化合物（Ｙ−２）と上述した色素化合物（Ｍ−２）の混合物１．０ｇ／溶媒  １００ｍｌを、２，２，３，３−テトラフルオロ−１−プロパノール１００ｍｌに溶解した可視情報記録層用塗布液を調製し、該可視情報記録層用塗布液を厚さ０．６ｍｍ、直径１２０ｍｍの第１基板２６上にスピンコートにて塗布して可視情報記録層を形成した以外は、実施例１と同じである。色素化合物（Ｙ−２）と色素化合物（Ｍ−２）の混合比は７：３である。【０３１７】
（コントラスト評価）
作製した実施例１〜１０に係る光記録媒体の各可視情報記録層１４にＤＶＤ−Ｒ記録再生波長（６６０ｎｍ）で可視情報記録を行い、コントラスト評価を行った。【０３１８】
ＤＶＤ−Ｒの記録再生に用いられる波長６６０ｎｍの半導体レーザーを用い、線速度３．５ｍ／ｓ、記録パワー８ｍＷの条件で、フォーカスをかけた状態で、機械的にピックアップを動かしながら記録した。【０３１９】
すべての光記録媒体において、可視情報記録層のコントラストは良好であり、かつ、鮮明な可視情報記録を行うことができた。【０３２０】
なお、本発明に係る光記録媒体、色素化合物の利用方法及び可視情報記録方法は、上述の実施の形態に限らず、本発明の要旨を逸脱することなく、種々の構成を採り得ることはもちろんである。
【図１】
2007139139.tif 000078
【図２】
2007139139.tif 000079
【図３】
2007139139.tif 000080
【図４】
2007139139.tif 000081
【図５】
2007139139.tif 000082
【国際調査報告】
2007139139.tif 000083
2007139139.tif 000084
2007139139.tif 000085
2007139139.tif 000086